【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
欠損を有する上皮を有する患者の角膜を治療するための治療用デバイスであって、
該角膜の形状に適合するように適応される少なくとも１つの部分を有するカバー
を備える、治療用デバイス。
【請求項２】
前記カバーが、
レンズを備える、内側部分と、
該眼に適合するように構成される、外側部分と
を備える、請求項１に記載の治療用デバイス。
【請求項３】
内皮吸引を誘発して前記内側部分を保持するように、前記外側部分が、前記上皮の欠損の周りにある内皮をシールするように構成され、該内側部分は、該上皮の欠損上に前記レンズを備える、請求項２に記載の治療用デバイス。
【請求項４】
前記内側部分は、前記レンズが前記上皮欠損上に配置されると、該レンズの正面の光学平滑性を保持する剛性を備える、請求項２に記載の治療用デバイス。
【請求項５】
前記内側部分は、第１の剛性を備え、前記レンズが前記上皮欠損上に配置されると、該レンズの正面の光学平滑性を保持し、前記外側部分は、第２の剛性を備え、前記角膜に適合し、該上皮欠損をシールし、該第１の剛性は、該第２の剛性を上回る、請求項２に記載の治療用デバイス。
【請求項６】
前記内側部分は、前記眼上への配置前の第１の内側構成と、該眼上への配置後の第２の内側構成とを備えるように構成され、該第２の内側構成は、該第１の構成と実質的に類似し、前記レンズの光学特性を保持する、請求項２に記載の治療用デバイス。
【請求項７】
前記外側部分が、前記眼上への配置前の第１の外側構成と、該眼上への配置後の第２の外側構成とを備えるように構成され、該第２の外側構成が、該第１の外側構成と異なることによって、該第２の構成は、前記上皮と適合し、内皮吸引によって、該上皮に対して、該外側部分をシールする、請求項２に記載の治療用デバイス。
【請求項８】
前記カバーは、親水性である下面を備え、該角膜上のカバーの摺動を抑制する、請求項２に記載の治療用デバイス。
【請求項９】
前記カバーは、実質的に水不透過性の材料を備え、前記角膜に対するシールが形成されると、前記角膜の水分排出または膨張の抑制のうちの少なくとも１つを行なう、請求項２に記載の治療用デバイス。
【請求項１０】
前記内側部分および前記外側部分はそれぞれ、水を抑制する疎水性層と、上部親水性層と、下部親水性層とを備え、該疎水性層は、該上部親水性層と該下部親水性層との間に配置される、請求項２に記載の治療用デバイス。
【請求項１１】
前記カバーは、実質的に酸素透過性材料を備える、請求項２に記載の治療用デバイス。
【請求項１２】
前記内側部分と外側部分とは、少なくとも約３５０の酸素透過率Ｄｋパラメータを備える、請求項２に記載の治療用デバイス。
【請求項１３】
前記内側部分および外側部分のそれぞれは、少なくとも約３５０の酸素透過率Ｄｋパラメータを備える、請求項２に記載の治療用デバイス。
【請求項１４】
前記内側部分は、約２００μｍ以下の厚さを備え、前記外側部分は、約１００μｍ以下の厚さを備える、請求項２に記載の治療用デバイス。
【請求項１５】
前記外側部分は、下面に沿う曲率半径を備え、該曲率半径は、約７ｍｍ乃至約８ｍｍの範囲内にあり、内皮吸引によって、前記角膜の外側部分に接着する、請求項２に記載の治療用デバイス。
【請求項１６】
複数の代替的に選択可能なカバーをさらに備え、該カバーは、下面に沿う異なる曲率半径を有し、該カバーが前記角膜上に配置された場合にシールが形成されるように、該角膜の測定された曲率半径に応じて、該複数のカバーの中からカバーが選択されやすくなる、請求項２に記載の治療用デバイス。
【請求項１７】
前記カバーの外側部分が、焼灼ゾーンの外側の前記角膜の第１の湾曲に適合し、かつ該焼灼ゾーン内の該角膜の第２の湾曲に適合するように構成されることによって、該角膜は、該焼灼ゾーン上にシールされる、請求項２に記載の治療用デバイス。
【請求項１８】
前記内側部分および前記外側部分がともに、類似材料を備え、該内側部分が、第１の厚さを備え、該外側部分が、該第１の厚さ未満の第２の厚さを備えることによって、該内側部分は、前記角膜上に配置されると、光学正面を保持するように構成され、該外側部分は、前記上皮に適合するように構成される、請求項２に記載の治療用デバイス。
【請求項１９】
前記内側部分が、第１の硬度を備え、前記外側部分が、第２の硬度を備え、該第１の硬度が、該第２の硬度を上回ることによって、該内側部分は、前記角膜上に配置されると、光学正面を保持するように構成され、外側部分は、前記上皮に適合するように構成される、請求項２に記載の治療用デバイス。
【請求項２０】
前記内側部分および前記外側部分がともに、モールドから形成される単一片を備えることによって、前記カバーは、モールドから形成される単一材料片を備える、請求項２に記載の治療用デバイス。
【請求項２１】
前記レンズは、約−１Ｄ乃至約＋１Ｄの範囲内の屈折力を備える、請求項２に記載の治療用デバイス。
【請求項２２】
前記カバーは、前記上皮欠損上に配置されるように構成される内側部分と、該欠損から離れて、該上皮上に配置されるように構成される外側部分とを備え、該カバーは、該外側部分に沿って延在し、流体を通過させる、少なくとも１つの導管をさらに備える、請求項１に記載の治療用デバイス。
【請求項２３】
少なくとも１つの導管が、前記外側部分の厚さを通して延在する、複数の開口を備え、前記カバーは、上面部分を備える上面と、該上面部分の反対側に配置される下面部分を備える下面とを備え、該上面部分は、該下面部分より平滑である、請求項２２に記載の治療用デバイス。
【請求項２４】
前記カバーは、薬物を備える、請求項１に記載の治療用デバイス。
【請求項２５】
上皮欠損を有する眼を治療するための治療用カバーであって、
レンズを備える、内側部分と、
内皮吸引によって、該眼に適合するように構成され、該レンズを備える該内側部分を該上皮欠損上に保持する、外側部分と
を備える、治療用カバー。
【請求項２６】
患者の眼の角膜のための治療用カバーであって、
該眼上に位置付けるように構成されるレンズを備える、第１の部分と、
上皮の凹凸に適合し、該第１の部分を角膜に接着させ、動作を抑制するように構成される、少なくとも第２の部分と
を備える、治療用カバー。
【請求項２７】
欠損を有する上皮を有する患者の角膜を治療するための治療用デバイスであって、
角膜の形状に適合し、該角膜の腫脹を軽減するように適応される少なくとも１つの領域を含む、カバー
を備える、治療用デバイス。
【請求項２８】
上皮欠損を有する角膜を有する眼を治療するための治療用カバーであって、
レンズを備える、内側部分と、
該眼の角膜の凹凸に適合するように構成され、該レンズを備える内側部分を該上皮欠損上に保持する、外側部分と
を備える、治療用カバー。
【請求項２９】
眼の角膜を治療するための治療用レンズデバイスであって、
第１の成分と、
第２の成分と
を備える、治療用レンズデバイス。
【手続補正２】
【補正対象書類名】明細書
【補正対象項目名】０３２０
【補正方法】変更
【補正の内容】
【０３２０】
多くの実施形態では、光学収差は、角膜の凹凸に対応する。光学収差は、間質、上皮、またはボーマン膜の凹凸に対応し得る。
本発明は、例えば以下の項目を提供する。
（項目１）
眼の角膜を治療するための治療用カバーであって、該角膜は、間質および／またはボーマン膜を備え、該カバーは、
疼痛を軽減させるために、該眼の間質および／またはボーマン膜上に位置付け可能である、治療用材料の層を備える、カバー。
（項目２）
前記治療用材料の層は、神経線維を被覆および保護することによって、複数日間、疼痛を軽減させるように構成される、項目１に記載の治療用カバー。
（項目３）
眼の角膜の上皮欠損を治療するための治療用カバーであって、該角膜は、間質および／またはボーマン膜を備え、該カバーは、
該眼の間質および／またはボーマン膜上に位置付け可能な治療用材料の層であって、該層が、該間質および／またはボーマン膜上に位置付けられるときに、該層を通した視機能のためのものである、治療材料の層
を備える、カバー。
（項目４）
前記層が前記間質および／またはボーマン膜に接触すると、該層は、複数日間、前記レンズを通した視機能のために、該ボーマン膜および／または間質に接触するように構成される、項目３に記載の治療用カバー。
（項目５）
前記層は、該間質および／またはボーマン膜に複数日間、接触することによって、前記角膜の腫脹を抑制するように構成される、項目３に記載の治療用カバー。
（項目６）
前記層は、前記間質および／またはボーマン膜に複数日間、接触することによって、前記角膜および／またはボーマン膜の前面からの光散乱を抑制するように構成される、項目３に記載の治療用カバー。
（項目７）
前記層は、ある屈折率を備えることによって、前記間質および／またはボーマン膜の前面からの光散乱を抑制する、項目３に記載の治療用カバー。
（項目８）
眼の角膜の上皮欠損を治療するための治療用カバーであって、該角膜は、間質および／またはボーマン膜を備え、該カバーは、
該角膜の腫脹を抑制するために、該眼の間質および／またはボーマン膜上に位置付け可能である、治療用材料の層
を備える、カバー。
（項目９）
前記層は、前記眼上に位置付けられと、複数日間、前記角膜の腫脹を抑制するように構成される、項目８に記載の治療用カバー。
（項目１０）
前記層は、複数日間、前記角膜の水分排出を回復するように構成される、項目８に記載の治療用カバー。
（項目１１）
眼の角膜の上皮欠損を治療するための治療用カバーであって、該角膜は、間質および／またはボーマン膜を備え、該カバーは、
該角膜からの光散乱を減少させるために、該眼の間質および／またはボーマン膜上に位置付け可能である、治療用材料の層
を備える、カバー。
（項目１２）
前記層は、前記角膜の腫脹を抑制することによって、前記間質および／またはボーマン膜からの光散乱を減少させるように構成される、項目１１に記載の治療用カバー。
（項目１３）
前記層は、ある屈折率を備え、前記間質および／またはボーマン膜の前面からの光散乱を抑制する、項目１１に記載の治療用カバー。
（項目１４）
前記層は、前記眼上に位置付けられると、複数日間、該眼が、該層を通して視認するように構成される、項目１、８、または１１に記載の治療用カバー。
（項目１５）
前記層は、複数日間、前記間質および／またはボーマン膜に接着するように構成される、項目１、８、または１１に記載の治療用カバー。
（項目１６）
前記層の接着は、除去剤によって元に戻すことが可能である、項目１５に記載の治療用カバー。
（項目１７）
前記層は、前記眼に視機能を提供するように構成される、項目１、８、または１１に記載の治療用カバー。
（項目１８）
前記層は、角膜断層画像診断装置、光干渉断層画像診断装置、または波面収差計のうちの少なくとも１つによる測定のために、前記角膜の光学特性を向上させるように構成される、項目１、８、または１１に記載の治療用カバー。
（項目１９）
組織癒着のための光増感剤をさらに備え、前記光増感剤は、リボフラビン、インドシアニングリーン、ヤヌスグリーン、ローズベンガル、またはメチレンブルー、あるいはそれらの誘導体のうちの少なくとも１つを備える、項目１、８、または１１に記載の治療用カバー。
（項目２０）
前記層は、該層を硬化させるための光増感剤を備え、、前記光増感剤は、リボフラビン、インドシアニングリーン、ヤヌスグリーン、ローズベンガル、またはメチレンブルー、あるいはそれらの誘導体のうちの少なくとも１つを備える、項目１、８、または１１に記載の治療用カバー。
（項目２１）
前記層が、該層の周囲に円周方向に延在する周縁境界を備え、前記上皮欠損が、内側境界を備えることによって、空隙は、該周縁境界から該内側境界まで延在する、項目１、８、または１１に記載の治療用カバー。
（項目２２）
眼の角膜の上皮欠損を治療するための治療用カバーであって、該角膜は、間質および／またはボーマン膜を備え、該カバーは、
該間質および／またはボーマン膜への水流を抑制するために、該眼の間質および／またはボーマン膜上に位置付け可能である、治療用材料の層
を備える、カバー。
（項目２３）
上皮および涙液は、前記間質および／またはボーマン膜上に配置され、前記層は、該眼の涙液から該間質および／またはボーマン膜への水流を抑制するように構成される、項目２２に記載の治療用カバー。
（項目２４）
前記治療用層は、前記上皮欠損を伴わずに、角膜の厚さの約１０％以内に該角膜の腫脹を抑制するように構成される、項目２２に記載の治療用カバー。
（項目２５）
前記治療用層は、前記上皮欠損を伴わずに、角膜の厚さの約５％以内に該角膜の腫脹を抑制するように構成される、項目２４に記載の治療用カバー。
（項目２６）
前記治療用層は、前記上皮欠損を伴わずに、角膜の厚さの約２．５％以内に該角膜の腫脹を抑制するように構成される、項目２５に記載の治療用カバー。
（項目２７）
前記層は、固体、接着剤、ゲル、低接着性ゲル、または液体のうちの少なくとも１つを備える、項目２２に記載の治療用カバー。
（項目２８）
前記層は、前記間質および／またはボーマン膜に接着するように構成される、下面を備える、項目２２に記載の治療用カバー。
（項目２９）
前記下面は、共有結合によって、前記間質および／またはボーマン膜に接着するように構成される、項目２８に記載の治療用カバー。
（項目３０）
前記下面は、前記共有結合によって、該下面を前記間質および／またはボーマン膜に接着するように構成される、フィブリン接着剤、ポリエチレングリコール接着剤、またはアルブミン接着剤のうちの少なくとも１つを備える、項目２９に記載の治療用カバー。
（項目３１）
前記下面は、機械的連結によって、前記間質および／またはボーマン膜に接着するように構成され、前記接着剤は、シアノアクリレートを備える、項目２８に記載の治療用カバー。
（項目３２）
前記下面は、表面電荷によって、前記間質および／またはボーマン膜に接着するように構成される、項目２８に記載の治療用カバー。
（項目３３）
前記下面は、前記表面電荷によって、該下面を前記間質および／またはボーマン膜に接着するように構成される、シアノアクリレート接着剤または刺毛接着剤のうちの少なくとも１つを備える、項目３２に記載の治療用カバー。
（項目３４）
前記下面は、１週間未満の間、前記間質および／またはボーマン膜に接着するように構成される、項目３３に記載の治療用カバー。
（項目３５）
前記下面は、少なくとも１年間、前記間質および／またはボーマン膜に接着するように構成される、項目２８に記載の治療用カバー。
（項目３６）
前記層は、前記眼の涙液に接触するための上面を備える、項目２８に記載の治療用カバー。
（項目３７）
前記層上に位置付け可能な治療用レンズをさらに備え、該層は、該治療用レンズに接着するように構成される上面を備える、項目２８に記載の治療用カバー。
（項目３８）
前記層または前記治療用レンズのうちの少なくとも１つ上に配置され、前記眼の視力を矯正する前屈折面をさらに備える、項目２８または３７に記載の治療用カバー。
（項目３９）
前記層は、合成接着剤、天然および／または生物学的に誘導された接着剤、組み換え接着剤、またはハイブリッド接着剤、あるいはそれらの誘導体のうちの少なくとも１つを備える、項目１、２８、または３７に記載の治療用カバー。
（項目４０）
前記合成接着剤は、ポリリシン接着剤、シアノアクリレート接着剤、またはポリエチレングリコール接着剤、あるいはそれらの誘導体のうちの少なくとも１つを備える、項目３９に記載の治療用カバー。
（項目４１）
前記天然および／または生物学的に誘導された接着剤は、フィブリン接着剤、またはＲＰＧ接着剤、あるいはそれらの誘導体のうちの少なくとも１つを備える、項目３９に記載の治療用カバー。
（項目４２）
前記組み換え接着剤は、フィブリン接着剤、ポリリシン接着剤、血漿から生物学的に誘導された接着剤、またはＲＰＧ接着剤、あるいはそれらの誘導体のうちの少なくとも１つを備える、項目３９に記載の治療用カバー。
（項目４３）
前記ハイブリッド接着剤は、アルブミンとグルタルアルデヒドとの接着剤を備える、項目３９に記載の治療用カバー。
（項目４４）
前記治療用材料は、前記上皮が再生すると、前記間質および／またはボーマン膜から前記下面を分離するように構成される生体適応性材料を備える、項目２８に記載の治療用カバー。
（項目４５）
前記層は、前記上皮上に延在し、前記上皮が再生すると、前記間質および／またはボーマン膜から前記下面を分離するように構成される、皮弁を備える、項目４４に記載の治療用カバー。
（項目４６）
前記治療用材料は、前記上皮が再生すると、前記層から脱落するように構成される生体適応性材料を備える、項目２８に記載の治療用カバー。
（項目４７）
前記治療用材料が、前記層を吸収するように構成される生体吸収性材料を備えることによって、前記上皮が再生し、該材料上に成長後、該上皮は、前記間質および／またはボーマン膜に接触する、項目２８に記載の治療用カバー。
（項目４８）
前記治療用材料は、前記上皮が再生し、前記材料上に成長後、前記間質および／またはボーマン膜上に残留するように構成される、移植可能材料を備える、項目２８に記載の治療用カバー。
（項目４９）
前記層は、レンズを備える、項目２２に記載の治療用カバー。
（項目５０）
前記レンズは、上面を備え、該上面は、湾曲し、前記涙液に接触するように構成され、該上面は、ある湾曲を備えることによって、約＋／−１ジオプトリーの範囲内で、前記間質および／またはボーマン膜の焼灼断面の湾曲に対応する、項目４９に記載の治療用カバー。
（項目５１）
前記層は、前記間質および／またはボーマン膜に接触するように構成される下面を備え、該下面から前記上面までの該層の厚さは、約＋／−１０ミクロンの範囲内で均一であることによって、前記焼灼断面の湾曲に対応する、項目５０に記載の治療用カバー。
（項目５２）
前記レンズは、レーザ焼灼によって成形される上面を備え、該上面は、湾曲し、前記涙液に接触することにより、該上面によって、光を屈折させて患者の視力を矯正する、項目４９に記載の治療用カバー。
（項目５３）
前記治療用材料または前記治療用レンズのうちの少なくとも１つは、治療剤を備え、該治療剤は、鎮痛剤、抗炎症剤、抗生剤、非ステロイド系抗炎症剤、ステロイド、または上皮成長因子のうちの少なくとも１つを備え、上皮形成を増進させる、項目２８または３７に記載の治療用カバー。
（項目５４）
前記鎮痛剤は、ガバペンチン、プロパラカイン、リドカイン、またはテトラカイン、あるいはそれらの誘導体のうちの少なくとも１つを備える、項目５３に記載の治療用カバー。
（項目５５）
前記抗生剤は、ドキシサイクリン（４−（ジメチルアミノ）−１，４，４ａ，５，５ａ，６，１１，１２ａ−オクタヒドロ−３，５，１０，１２，１２ａ−ペンタヒドロキシ−６−メチル−１、１１−ジオキソ−２−ナフタセンカルボキサミド一水和物、Ｃ２２Ｈ２４Ｎ２Ｏ８Ｈ２Ｏ）、アミノグリコシド類（例えば、ストレプトマイシン、アミカシン、ゲンタマイシン、トブラマイシン）、セファロスポリン類（例えば、ペニシリンを含む、β−ラクタム系）、テトラサイクリン系、アシクロビル、アマンタジン、ポリミキシンＢ、アムホテリシンＢ、アモキシシリン、アンピシリン、アトバクオン、アジスロマイシン、アジスロマイシン、バシトラシン、セファゾリン、セフェピム、セフォタキシム、セフォテタン、セフポドキシム、セフタジジム、セフチゾキシム、セフトリアキソン、セフロキシム、セファレキシン、クロラムフェニコール、クロトリマゾール、シプロフロキサシン、クラリスロマイシン、クリンダマイシン、ダプソーン、ジクロキサシリン、エリスロマイシン、フルコナゾール、フォスカルネット、ガンシクロビル、ガチフロキサシン、グリセオフルビン、イソニアジド、イトラコナゾール、ケトコナゾール、メトロニダゾール、ナフシリン、ネオマイシン、ニトロフラントイン、ナイスタチン、ペンタミジン、リファンピン、リファマイシン、バラシクロビル、バンコマイシン、あるいはそれらの誘導体のうちの１つまたはそれらの組み合わせを備える、項目５３に記載の治療用カバー。
（項目５６）
前記非ステロイド系抗炎症剤は、ジクロフェナク、ネパフェナク、またはスプロフェンコルヒチン、ナプロキセンナトリウム（ＡＮＡＰＲＯＸ（登録商標）およびＡＮＡＰＲＯＸＤＳ（登録商標）、（Ｒｏｃｈｅ）；フルルビプロフェン（ＡＮＳＡＩＤ（登録商標）、Ｐｈａｒｍａｃｉａ  Ｐｆｉｚｅｒ）；ジクロフェナクナトリウムおよびミソプロストール（ＡＲＴＨＲＯＴＥＣ（登録商標）、Ｓｅａｒｌｅ  Ｍｏｎｓａｎｔｏ）；バルデコキシブ（ＢＥＸＴＲＡ（登録商標）、Ｐｆｉｚｅｒ）；ジクロフェナクカリウム（ＣＡＴＡＦＬＡＭ（登録商標）、Ｎｏｖａｒｔｉｓ）；セレコキシブ（ＣＥＬＥＢＲＥＸ（登録商標）、Ｓｅａｒｌｅ  Ｍｏｎｓａｎｔｏ）；スリンダク（ＣＬＩＮＯＲＩＬ（登録商標）、Ｍｅｒｃｋ）；オキサプロジン（ＤＡＹＰＲＯ（登録商標）、Ｐｈａｒｍａｃｉａ  Ｐｆｉｚｅｒ）；サルサレート（ＤＩＳＡＬＣＩＤ（登録商標）、３Ｍ）；サリチレート（ＤＯＬＯＢＩＤ（登録商標）、Ｍｅｒｃｋ）；ナプロキセンナトリウム（ＥＣ  ＮＡＰＲＯＳＹＮ（登録商標）、Ｒｏｃｈｅ）；ピロキシカム（ＦＥＬＤＥＮＥ（登録商標）、Ｐｆｉｚｅｒ）；インドメタシン（ＩＮＤＯＣＩＮ（登録商標）、Ｍｅｒｃｋ）；エトドラク（ＬＯＤＩＮＥ（登録商標）、Ｗｙｅｔｈ）；メロキシカム（ＭＯＢＩＣ（登録商標）、Ｂｏｅｈｒｉｎｇｅｒ  Ｉｎｇｅｌｈｅｉｍ）；イブプロフェン（ＭＯＴＲＩＮ（登録商標）、Ｐｈａｒｍａｃｉａ  Ｐｆｉｚｅｒ）；ナプロキセン（ＮＡＰＲＥＬＡＮ（登録商標）、Ｅｌａｎ）；ナプロキセン（ＮＡＰＲＯＳＹＮ（登録商標）、Ｒｏｃｈｅ）；ケトプロフェン（ＯＲＵＤＩＳ（登録商標）、ＯＲＵＶＡＩＬ（登録商標）、Ｗｙｅｔｈ）；ナブメトン（ＲＥＬＡＦＥＮ（登録商標）、ＳｍｉｔｈＫｌｉｎｅ）；トルメチンナトリウム（ＴＯＬＥＣＴＩＮ（登録商標）、ＭｃＮｅｉｌ）；コリンマグネシウムトリサリチル酸（ＴＲＩＬＩＳＡＴＥ（登録商標）、Ｐｕｒｄｕｅ  Ｆｒｅｄｒｉｃｋ）；ロフェコキシブ（ＶＩＯＸＸ（登録商標）、Ｍｅｒｃｋ）、あるいはそれらの誘導体のうちの少なくとも１つを備える、項目５３に記載の治療用カバー。
（項目５７）
前記ステロイドは、トリアムシノロン（Ａｒｉｓｔｏｃｏｒｔ（登録商標）；Ｋｅｎａｌｏｇ（登録商標））、ベタメタゾン（Ｃｅｌｅｓｔｏｎｅ（登録商標））、ブデゾニド、コルチゾン、デキサメタゾン（Ｄｅｃａｄｒｏｎ−ＬＡ（登録商標）；Ｄｅｃａｄｒｏｎ（登録商標）ホスフェート；Ｍａｘｉｄｅｘ（登録商標）およびＴｏｂｒａｄｅｘ（登録商標）（Ａｌｃｏｎ））、ヒドロコルチゾン、メチルプレドニゾロン（Ｄｅｐｏ−Ｍｅｄｒｏｌ（登録商標）、ＳｏＩｕ−Ｍｅｄｒｏｌ（登録商標））、プレドニゾロン（酢酸プレドニゾロン、例えば、Ｐｒｅｄ  Ｆｏｒｔｅ（登録商標）（Ａｌｌｅｒｇａｎ）；Ｅｃｏｎｏｐｒｅｄ  ａｎｄ  Ｅｃｏｎｏｐｒｅｄ  Ｐｌｕｓ（登録商標）（Ａｌｃｏｎ）；ＡＫ−Ｔａｔｅ（登録商標）（Ａｋｏｒｎ）；Ｐｒｅｄ  Ｍｉｌｄ（登録商標）（Ａｌｌｅｒｇａｎ）；リン酸プレドニゾンナトリウム（Ｉｎｆｌａｍａｓｅ  Ｍｉｌｄ  ａｎｄ  Ｉｎｆｌａｍａｓｅ  Ｆｏｒｔｅ（登録商標）（Ｃｉｂａ）；Ｍｅｔｒｅｔｏｎ（登録商標）（Ｓｃｈｅｒｉｎｇ）；ＡＫ−Ｐｒｅｄ（登録商標）（Ａｋｏｒｎ））、フルオロメトロン（酢酸フルオロメトロン（Ｆｌａｒｅｘ（登録商標）（Ａｌｃｏｎ）；Ｅｆｌｏｎｅ（登録商標））、フルオロメトロンアルコール（ＦＭＬ（登録商標）およびＦＭＬ−Ｍｉｌｄ（登録商標）、（Ａｌｌｅｒｇａｎ）；Ｆｌｕｏｒ  ＯＰ（登録商標）））、リメキソロン（Ｖｅｘｏｌ（登録商標）（Ａｌｃｏｎ））、メドリゾンアルコール（Ｈ  ＭＳ（登録商標）（Ａｌｌｅｒｇａｎ））；ロテプレドノールエタボネート（Ｌｏｔｅｍａｘ（登録商標）およびＡｌｒｅｘ（登録商標）（Ｂａｕｓｃｈ  ＆  Ｌｏｍｂ）、１１−デスオキシコルチゾル、および酢酸アネコルタブ（Ａｌｃｏｎ））、あるいはそれらの誘導体のうちの少なくとも１つを備える、項目５３に記載の治療用カバー。
（項目５８）
前記成長因子は、線維芽細胞成長因子、フィブロネクチン、またはペプチド配列を備えるアルギニングリシンアスパラギン酸（ＲＧＤ）、あるいはそれらの誘導体のうちの少なくとも１つを備える、項目５３に記載の治療用カバー。
（項目５９）
前記層は、下面と、上面とを備え、該下面は、前記間質および／またはボーマン膜上に定置するように構成され、該下面から該上面までの該層の厚さは、約＋／−１０ミクロンの範囲内で均一である、項目２２に記載の治療用カバー。
（項目６０）
前記層は、約１ミクロン乃至約２００ミクロンの範囲内の厚さを備える、項目２２に記載の治療用カバー。
（項目６１）
前記範囲は、約１ミクロン乃至約１００ミクロンである、項目６０に記載の治療用カバー。
（項目６２）
前記範囲は、約２５ミクロン乃至約７５ミクロンである、項目６１に記載の治療用カバー。
（項目６３）
前記範囲は、約３０ミクロン乃至約７０ミクロンである、項目６２に記載の治療用カバー。
（項目６４）
前記範囲は、約４０ミクロン乃至約６０ミクロンである、項目６３に記載の治療用カバー。
（項目６５）
前記治療用材料は、光を透過させるように構成される、光学的に透明な材料を備える、項目２２に記載の治療用カバー。
（項目６６）
前記治療用材料は、約１．３３７乃至約１．４１７の屈折率を備える、項目２２に記載の治療用カバー。
（項目６７）
前記治療用材料は、約１．３５７乃至約１．３９７の屈折率を備える、項目６６に記載の治療用カバー。
（項目６８）
前記治療用材料は、約１．３６７乃至約１．３８７の屈折率を備える、項目６７に記載の治療用カバー。
（項目６９）
前記治療用材料は、羊膜材料を備える、項目２２に記載の治療用カバー。
（項目７０）
眼の角膜の上皮欠損を治療するための治療用カバーシステムであって、該角膜は、間質および／またはボーマン膜を備え、該カバーシステムは、
該眼の間質および／またはボーマン膜に接触して、該角膜からの光散乱を減少させるように構成される、治療用材料の層
を備える、カバーシステム。
（項目７１）
前記治療用層は、前記上皮欠損を伴わずに、角膜の厚さの約１０％の範囲内で該角膜の腫脹を軽減させるように構成される、項目７０に記載の治療用カバー。
（項目７２）
前記層は、固体、接着剤、ゲル、低接着性ゲル、または液体のうちの少なくとも１つを備える、項目７０に記載の治療用カバーシステム。
（項目７３）
前記層は、前記間質および／またはボーマン膜に接着するように構成される下面を備える、項目７０に記載の治療用カバーシステム。
（項目７４）
前記層上に定置するように構成される治療用レンズをさらに備え、該治療用レンズは、患者の視力を矯正するための前面と、前記上皮に嵌合するための後面とを備える、項目７０に記載の治療用カバーシステム。
（項目７５）
前記前面は、ある曲率半径を備え、前記眼の屈折異常に応じて、前記患者の視力を矯正する、項目７４に記載の治療用カバーシステム。
（項目７６）
前記後面が、前記レンズが前記上皮に嵌合する角膜の曲率半径に対応する曲率半径を備えることによって、該レンズは、該上皮に嵌合する、項目７４に記載の治療用カバーシステム。
（項目７７）
前記治療用材料は、光を透過させるために、光学的に透明な材料を備え、項目７０に記載の治療用カバーシステム。
（項目７８）
前記治療用材料は、約１．３３７乃至約１．４１７の屈折率を備える、項目７０に記載の治療用カバーシステム。
（項目７９）
前記治療用材料は、約１．３５７乃至約１．３９７の屈折率を備える、項目７８に記載の治療用カバーシステム。
（項目８０）
前記治療用材料は、約１．３６７乃至約１．３８７の屈折率を備える、項目９０に記載の治療用カバーシステム。
（項目８１）
眼の角膜の上皮欠損を治療するための治療用カバーであって、該角膜は、間質および／またはボーマン膜とともに、該間質および／またはボーマン膜上に配置される上皮および涙液を備え、該カバーは、
湾曲上面と、湾曲下面とを備え、該湾曲下面は、該上皮に接触するように成形される、治療用レンズと、
該レンズの下面と該間質および／またはボーマン膜との間に配置される治療用層であって、光散乱ならびに／あるいは該涙液から該間質および／またはボーマン膜への水流を抑制するように構成される、治療用層と
を備える、カバー。
（項目８２）
前記治療用層は、前記治療用レンズの下面と、前記間質および／またはボーマン膜とに接着される、項目８１に記載の治療用カバー。
（項目８３）
前記治療用層は、固体を備える、項目８１に記載の治療用カバー。
（項目８４）
前記層は、合成接着剤、天然および／または生物学的に誘導された接着剤、組み換え接着剤、またはハイブリッド接着剤、あるいはそれらの誘導体のうちの少なくとも１つを備える、項目８３に記載の治療用カバー。
（項目８５）
前記合成接着剤は、ポリリシン接着剤、シアノアクリレート接着剤、またはポリエチレングリコール接着剤、あるいはそれらの誘導体のうちの少なくとも１つを備える、項目８４に記載の治療用カバー。
（項目８６）
前記天然および／または生物学的に誘導された接着剤は、フィブリン接着剤、またはＲＰＧ接着剤、あるいはそれらの誘導体のうちの少なくとも１つを備える、項目８４に記載の治療用カバー。
（項目８７）
前記組み換え接着剤は、フィブリン接着剤、ポリリシン接着剤、血漿から生物学的に誘導された接着剤、またはＲＰＧ接着剤、あるいはそれらの誘導体のうちの少なくとも１つを備える、項目８４に記載の治療用カバー。
（項目８８）
前記ハイブリッド接着剤は、アルブミンとグルタルアルデヒドとの接着剤を備える、項目８４に記載の治療用カバー。
（項目８９）
前記治療用レンズは、前記上面から前記下面へと延在する少なくとも２つの開口を備え、前記上皮に接着される接着剤は、前記少なくとも２つの開口の中に配置され、該下面は、該上皮上に位置付けられる、項目８１に記載の治療用カバー。
（項目９０）
前記少なくとも２つの開口は、少なくとも４つの開口を備える、項目８１に記載の治療用カバー。
（項目９１）
前記治療用レンズは、シアノアクリレート接着剤、フィブリン接着剤、ポリエチレングリコール接着剤、またはアルブミン接着剤のうちの少なくとも１つによって、前記上皮に接着される、項目８１に記載の治療用カバー。
（項目９２）
前記治療用レンズは、組織癒着のための光増感剤によって、前記上皮に接着され、前記光増感剤は、リボフラビン、インドシアニングリーン、ヤーヌスグリーン、ローズベンガル、またはメチレンブルー、あるいはそれらの誘導体のうちの少なくとも１つを備える、項目８１に記載の治療用カバー。
（項目９３）
前記治療用層は、低接着性ゲルを備える、項目８１に記載の治療用カバー。
（項目９４）
前記低接着性ゲルは、ヒアルロン酸または酢酸セルロースのうちの少なくとも１つを備える、項目９５に記載の治療用カバー。
（項目９５）
前記治療用層は、粘弾性材料を備える、項目８１に記載の治療用カバー。
（項目９６）
前記粘弾性材料は、ヒアルロン酸または酢酸セルロースのうちの少なくとも１つを備える、項目９５に記載の治療用カバー。
（項目９７）
前記治療用層は、液体を備え、該液体は、屈折率整合溶液、疎水性材料、疎水性マトリクス、高浸透圧性液体、疎水性液体のうちの少なくとも１つを備える、項目８１に記載の治療用カバー。
（項目９８）
前記液体は、グリセリン、デキストラン、シリコーン油、またはペルフルオロカーボンのうちの少なくとも１つを備える、項目８１に記載の治療用カバー。
（項目９９）
前記治療用層は、羊膜材料を備える、項目８１に記載の治療用カバー。
（項目１００）
眼の上皮上に定置するための治療用レンズであって、該レンズは、
湾曲上面と、湾曲下面とを備える、本体であって、該湾曲下面は、該上皮に接触するように成形され、該本体は、該本体を角膜に接着させる構造を備える、本体と
を備える、レンズ。
（項目１０１）
構造は、外周を備え、該外周の表面積を増加させる、項目１００に記載の治療用カバー。
（項目１０２）
少なくとも２つの開口は、前記上面から前記下面へと延在し、該下面が前記上皮に位置付けられると、該少なくとも２つの開口を通して、接着剤を該上皮に適用する、項目１００に記載の治療用カバー。
（項目１０３）
前記少なくとも２つの開口は、少なくとも４つの開口を備える、項目１００に記載の治療用カバー。
（項目１０４）
前記本体は、中心を備え、前記少なくとも２つの開口は、該中心から少なくとも３ｍｍの所に配置される、項目１００に記載の治療用カバー。
（項目１０５）
前記構造は、前記本体を前記接着剤に接着させるための周縁構造を備える、項目１００に記載の治療用カバー。
（項目１０６）
前記構造は、導管、鋸歯状部、城郭状縁、屈曲、または粗面のうちの少なくとも１つを備える、項目１００に記載の治療用カバー。
（項目１０７）
眼の角膜の上皮欠損を治療する方法であって、該角膜は、間質および／またはボーマン膜を備え、該方法は、
治療用材料を該眼に適用することによって、疼痛を抑制するために、該眼の間質および／またはボーマン膜上に配置される層を形成すること
を含む、方法。
（項目１０８）
眼の角膜の上皮欠損を治療する方法であって、該角膜は、間質および／またはボーマン膜とともに、該間質および／またはボーマン膜上に配置される上皮および涙液を備え、該方法は、
治療用材料を該眼に適用することによって、該眼の該間質および／またはボーマン膜上に配置される層を形成することであって、該層は、該眼の涙液から該間質および／またはボーマン膜への水流を最小にする、こと
を含む、方法。
（項目１０９）
前記治療用材料は、スプレー、滴下、インクジェット蒸着プロセス、エアロゾル、微粒子、エレクトロスプレー、スパッタリング、またはモールド内への射出成形のうちの少なくとも１つによって適用される、項目１０８に記載の方法。
（項目１１０）
前記治療用材料は、ある期間にわたって適用されて、前記層を形成する、項目１０８に記載の方法。
（項目１１１）
前記治療用材料が、モールドを用いて成形され、硬化されて前記層を形成することによって、該層は、前記間質および／またはボーマン膜に接着される、項目１０８に記載の方法。
（項目１１２）
前記治療用材料は、第１の部分と、第２の部分とを含む、二部分材料を備え、該第１の部分は、該第２の部分と混合されることによって、該治療用材料を硬化させ、前記層を前記間質および／またはボーマン膜に接着させる、項目１０８に記載の方法。
（項目１１３）
前記第１の部分は、タンパク質を備え、前記第２の部分は、架橋結合剤を備える、項目１１２に記載の方法。
（項目１１４）
前記第１の部分は、前記間質および／またはボーマン膜に適用され、前記第２の部分は、治療用レンズに適用され、前記治療用レンズは、該第１の部分上に定置されることによって、該第１の部分を該第２の部分と混合し、前記治療用材料を硬化させる、項目１１２に記載の方法。
（項目１１５）
前記第１の部分は、該第１の部分および該第２の部分を前記間質および／またはボーマン膜上にスプレーすることによって、該第２の部分と混合される、項目１１２に記載の方法。
（項目１１６）
前記第１の部分および前記第２の部分がスプレーされることによって、該第１の部分は、前記間質および／またはボーマン膜上の該第２の部分と混合する、項目１１５に記載の方法。
（項目１１７）
前記第１の部分および前記第２の部分がスプレーされることによって、該第１の部分および第２の部分が、ボーマン膜に適用される前に、該第１の部分は、該第２の部分と混合する、項目１１５に記載の方法。
（項目１１８）
層は、下面を備え、前記治療用材料が、硬化されることによって、該下面を前記間質および／またはボーマン膜に接着させる、項目１０８に記載の方法。
（項目１１９）
前記層は、上面を備え、該上面は、前記眼の涙液に接触する、項目１１８に記載の方法。
（項目１２０）
前記層は、上面を備え、前記治療用材料が、硬化されることによって、該上面を治療用レンズに接着させる、項目１１８に記載の方法。
（項目１２１）
前記治療用材料層は、合成接着剤、天然および／または生物学的に誘導された接着剤、組み換え接着剤、またはハイブリッド接着剤、あるいはそれらの誘導体のうちの少なくとも１つを備える、項目１１８または１２０に記載の方法。
（項目１２２）
前記治療用材料は、生体適応性材料を備え、前記下面は、前記上皮が再生すると、前記間質および／またはボーマン膜から分離する、項目１１８に記載の方法。
（項目１２３）
前記層は、前記上皮上に延在し、該上皮が再生すると、前記間質および／またはボーマン膜から前記下面を分離する、皮弁を備える、項目１２２に記載の方法。
（項目１２４）
前記治療用材料は、生体適応性材料を備え、前記生体適応性材料は、前記上皮が再生すると、前記層から脱落する、項目１１８に記載の方法。
（項目１２５）
前記治療用材料は、生体吸収性材料を備え、前記層が吸収されることによって、前記上皮は、該層が吸収された後、前記間質および／またはボーマン膜に接触する、項目１１８に記載の方法。
（項目１２６）
前記治療用材料は、前記上皮が再生し、該材料上に成長後、前記間質および／またはボーマン膜上に残留するように構成される移植可能材料を備える、項目１１８に記載の方法。
（項目１２７）
前記層は、下面と、上面とを備え、前記下面は、前記間質および／またはボーマン膜上にあって、該下面から該上面までの該層の厚さは、約＋／−１０ミクロンの範囲内で均一である、項目１０８に記載の方法。
（項目１２８）
前記層は、約１ミクロン乃至約２００ミクロンの範囲内の均一な厚さを備える、項目１０８に記載の方法。
（項目１２９）
前記範囲は、約１ミクロン乃至約１００ミクロンである、項目１０８に記載の方法。
（項目１３０）
前記範囲は、約２５ミクロン乃至約７５ミクロンである、項目１０８に記載の方法。
（項目１３１）
前記範囲は、約３０ミクロン乃至約７０ミクロンである、項目１０８に記載の方法。
（項目１３２）
前記範囲は、約４０ミクロン乃至約６０ミクロンである、項目１０８に記載の方法。
（項目１３３）
前記治療用材料は、光を透過させるように構成される、光学的に透明な材料を備える、項目１０８に記載の方法。
（項目１３４）
前記治療用材料は、約１．３３７乃至約１．４１７の範囲内の屈折率を備える、項目１０８に記載の方法。
（項目１３５）
前記治療用材料は、約１．３５７乃至約１．３９７の屈折率を備える、項目１３４に記載の方法。
（項目１３６）
前記治療用材料は、約１．３６７乃至約１．３８７の屈折率を備える、項目１３５に記載の方法。
（項目１３７）
前記層は、レンズを備える、項目１０８に記載の方法。
（項目１３８）
前記レンズは、上面を備え、該上面は、湾曲し、該涙液に接触するように構成され、該湾曲上面は、約＋／−１ジオプトリーの範囲内で、前記間質および／またはボーマン膜の焼灼断面の湾曲に対応する湾曲を備える、項目１３７に記載の方法。
（項目１３９）
前記層は、下面を備え、該下面は、前記間質および／またはボーマン膜上に位置付けられ、該下面から前記上面までの前記層の厚さは、約＋／−１０ミクロンの範囲内で均一であることによって、前記焼灼断面の湾曲に対応する、項目１３８に記載の方法。
（項目１４０）
前記レンズは、上面を備え、該上面が、該上面を成形するためにレーザによって焼灼されることによって、該上面は、湾曲させられ、前記涙液に接触して、光を屈折させて、該上面によって患者の視力を矯正する、項目１３７に記載の方法。
（項目１４１）
前記治療用材料または前記治療用レンズのうちの少なくとも１つは、治療剤を備え、該治療剤は、鎮痛剤、抗炎症剤、抗生剤、非ステロイド系抗炎症剤、ステロイド、または上皮成長因子のうちの少なくとも１つを備え、、上皮形成を増進させる、項目１１８または１２０に記載の方法。
（項目１４２）
前記鎮痛剤は、ガバペンチン、プロパラカイン、リドカイン、またはテトラカイン、あるいはそれらの誘導体のうちの少なくとも１つを備える、項目１４１に記載の方法。
（項目１４３）
前記抗生剤は、ドキシサイクリン（４−（ジメチルアミノ）−１，４，４ａ，５，５ａ，６，１１，１２ａ−オクタヒドロ−３，５，１０，１２，１２ａ−ペンタヒドロキシ−６−メチル−１，１１−ジオキソ−２−ナフタセンカルボキサミド一水和物、Ｃ２２Ｈ２４Ｎ２Ｏ８Ｈ２Ｏ）、アミノグリコシド類（例えば、ストレプトマイシン、アミカシン、ゲンタマイシン、トブラマイシン）、セファロスポリン類（例えば、ペニシリンを含む、β‐ラクタム系）、テトラサイクリン系、アシクロビル、アマンタジン、ポリミキシンＢ、アムホテリシンＢ、アモキシシリン、アンピシリン、アトバクオン、アジスロマイシン、アジスロマイシン、バシトラシン、セファゾリン、セフェピム、セフォタキシム、セフォテタン、セフポドキシム、セフタジジム、セフチゾキシム、セフトリアキソン、セフロキシム、セファレキシン、クロラムフェニコール、クロトリマゾール、シプロフロキサシン、クラリスロマイシン、クリンダマイシン、ダプソーン、ジクロキサシリン、エリスロマイシン、フルコナゾール、フォスカルネット、ガンシクロビル、ガチフロキサシン、グリセオフルビン、イソニアジド、イトラコナゾール、ケトコナゾール、メトロニダゾール、ナフシリン、ネオマイシン、ニトロフラントイン、ナイスタチン、ペンタミジン、リファンピン、リファマイシン、バラシクロビル、バンコマイシン、あるいはそれらの誘導体のうちの１つまたはそれらの組み合わせを備える、項目１４１に記載の方法。
（項目１４４）
前記非ステロイド系抗炎症剤は、ジクロフェナク、ネパフェナク、スプロフェン、コルヒチン、ナプロキセンナトリウム（ＡＮＡＰＲＯＸ（登録商標）およびＡＮＡＰＲＯＸＤＳ（登録商標）、（Ｒｏｃｈｅ）；フルルビプロフェン（ＡＮＳＡＩＤ（登録商標）、Ｐｈａｒｍａｃｉａ  Ｐｆｉｚｅｒ）；ジクロフェナクナトリウムおよびミソプロストール（ＡＲＴＨＲＯＴＥＣ（登録商標）、Ｓｅａｒｌｅ  Ｍｏｎｓａｎｔｏ）；バルデコキシブ（ＢＥＸＴＲＡ（登録商標）、Ｐｆｉｚｅｒ）；ジクロフェナクカリウム（ＣＡＴＡＦＬＡＭ（登録商標）、Ｎｏｖａｒｔｉｓ）；セレコキシブ（ＣＥＬＥＢＲＥＸ（登録商標）、Ｓｅａｒｌｅ  Ｍｏｎｓａｎｔｏ）；スリンダク（ＣＬＩＮＯＲＩＬ（登録商標）、Ｍｅｒｃｋ）；オキサプロジン（ＤＡＹＰＲＯ（登録商標）、Ｐｈａｒｍａｃｉａ  Ｐｆｉｚｅｒ）；サルサレート（ＤＩＳＡＬＣＩＤ（登録商標）、３Ｍ）；サリチレート（ＤＯＬＯＢＩＤ（登録商標）、Ｍｅｒｃｋ）；ナプロキセンナトリウム（ＥＣ  ＮＡＰＲＯＳＹＮ（登録商標）、Ｒｏｃｈｅ）；ピロキシカム（ＦＥＬＤＥＮＥ（登録商標）、Ｐｆｉｚｅｒ）；インドメタシン（ＩＮＤＯＣＩＮ（登録商標）、Ｍｅｒｃｋ）；エトドラク（ＬＯＤＩＮＥ（登録商標）、Ｗｙｅｔｈ）；メロキシカム（ＭＯＢＩＣ（登録商標）、Ｂｏｅｈｒｉｎｇｅｒ  Ｉｎｇｅｌｈｅｉｍ）；イブプロフェン（ＭＯＴＲＩＮ（登録商標）、Ｐｈａｒｍａｃｉａ  Ｐｆｉｚｅｒ）；ナプロキセン（ＮＡＰＲＥＬＡＮ（登録商標）、Ｅｌａｎ）；ナプロキセン（ＮＡＰＲＯＳＹＮ（登録商標）、Ｒｏｃｈｅ）；ケトプロフェン（ＯＲＵＤＩＳ（登録商標）、ＯＲＵＶＡＩＬ（登録商標）、Ｗｙｅｔｈ）；ナブメトン（ＲＥＬＡＦＥＮ（登録商標）、ＳｍｉｔｈＫｌｉｎｅ）；トルメチンナトリウム（ＴＯＬＥＣＴＩＮ（登録商標）、ＭｃＮｅｉｌ）；コリンマグネシウムトリサリチル酸（ＴＲＩＬＩＳＡＴＥ（登録商標）、Ｐｕｒｄｕｅ  Ｆｒｅｄｒｉｃｋ）；ロフェコキシブ（ＶＩＯＸＸ（登録商標）、Ｍｅｒｃｋ）、あるいはそれらの誘導体のうちの少なくとも１つを備える、項目１４１に記載の方法。
（項目１４５）
前記ステロイドは、トリアムシノロン（Ａｒｉｓｔｏｃｏｒｔ（登録商標）；Ｋｅｎａｌｏｇ（登録商標））、ベタメタゾン（Ｃｅｌｅｓｔｏｎｅ（登録商標））、ブデソニド、コルチゾン、デキサメタゾン（Ｄｅｃａｄｒｏｎ−ＬＡ（登録商標）；Ｄｅｃａｄｒｏｎ（登録商標）ホスフェート；Ｍａｘｉｄｅｘ（登録商標）およびＴｏｂｒａｄｅｘ（登録商標）（Ａｌｃｏｎ））、ヒドロコルチゾン、メチルプレドニゾロン（Ｄｅｐｏ−Ｍｅｄｒｏｌ（登録商標）、Ｓｏｌｕ−Ｍｅｄｒｏｌ（登録商標））、プレドニゾロン（酢酸プレドニゾロン、例えば、Ｐｒｅｄ  Ｆｏｒｔｅ（登録商標）（Ａｌｌｅｒｇａｎ）；Ｅｃｏｎｏｐｒｅｄ  ａｎｄ  Ｅｃｏｎｏｐｒｅｄ  Ｐｌｕｓ（登録商標）（Ａｌｃｏｎ）；ＡＫ−Ｔａｔｅ（登録商標）（Ａｋｏｒｎ）；Ｐｒｅｄ  Ｍｉｌｄ（登録商標）（Ａｌｌｅｒｇａｎ）；リン酸プレドニゾンナトリウム（Ｉｎｆｌａｍａｓｅ  Ｍｉｌｄ  ａｎｄ  Ｉｎｆｌａｍａｓｅ  Ｆｏｒｔｅ（登録商標）（Ｃｉｂａ）；Ｍｅｔｒｅｔｏｎ（登録商標）（Ｓｃｈｅリング）；ＡＫ−Ｐｒｅｄ（登録商標）（Ａｋｏｒｎ））、フルオロメトロン（酢酸フルオロメトロン（Ｆｌａｒｅｘ（登録商標）（Ａｌｃｏｎ）；Ｅｆｌｏｎｅ（登録商標））、フルオロメトロンアルコール（ＦＭＬ（登録商標）およびＦＭＬ−Ｍｉｌｄ（登録商標）、（Ａｌｌｅｒｇａｎ）；Ｆｌｕｏｒ  ＯＰ（登録商標）））、リメキソロン（Ｖｅｘｏｌ（登録商標）（Ａｌｃｏｎ））、メドリゾンアルコール（Ｈ  ＭＳ（登録商標）（Ａｌｌｅｒｇａｎ））；ロテプレドノールエタボネート（Ｌｏｔｅｍａｘ（登録商標）およびＡｌｒｅｘ（登録商標）（Ｂａｕｓｃｈ  ＆  Ｌｏｍｂ）、１１−デスオキシコルチゾル、および酢酸アネコルタブ（Ａｌｃｏｎ））あるいはそれらの誘導体、あるいはそれらの誘導体のうちの少なくとも１つを備える、項目１４１に記載の方法。
（項目１４６）
前記成長因子は、線維芽細胞成長因子、フィブロネクチン、またはペプチド配列を備えるアルギニングリシンアスパラギン酸（ＲＧＤ）、あるいはそれらの誘導体のうちの少なくとも１つを備える、項目１４１に記載の方法。
（項目１４７）
前記治療用材料は、羊膜材料を備える、項目１０８に記載の方法。
（項目１４８）
眼の角膜の上皮欠損を治療する方法であって、該角膜は、間質および／またはボーマン膜とともに、該間質および／またはボーマン膜上に配置される上皮および涙液を備え、該方法は、
レンズの下面と該間質および／またはボーマン膜との間に配置される治療用層を適用することであって、該治療用層は、光散乱および／または該涙液から該間質および／またはボーマン膜への水流を抑制するように構成される、ことと、
治療用レンズを該上皮あるいは該間質および／またはボーマン膜のうちの少なくとも１つに接着することであって、該治療用レンズは、湾曲上面と、湾曲下面とを備え、該湾曲下面は、該上皮に接触するように成形され、該湾曲上面は、該患者の視力を矯正するように成形される、ことと
を備える、方法。
（項目１４９）
前記治療用レンズは、前記上面から前記下面へと延在する少なくとも２つの開口を備え、接着剤が、該少なくとも２つの開口内に定置されて、該下面が、前記上皮上に位置付けられて、該治療用レンズを該上皮に接着させる、項目１４８に記載の方法。
（項目１５０）
前記治療用層は、前記治療用レンズの下面を前記間質および／またはボーマン膜に接着させるために、硬化させられる、項目１４８に記載の方法。
（項目１５１）
前記治療用レンズは、合成接着剤、天然および／または生物学的に誘導された接着剤、組み換え接着剤、またはハイブリッド接着剤、あるいはそれらの誘導体のうちの少なくとも１つによって、前記上皮に接着される、項目１４８に記載の方法。
（項目１５２）
前記合成接着剤は、ポリリシン接着剤、シアノアクリレート接着剤、またはポリエチレングリコール接着剤、あるいはそれらの誘導体のうちの少なくとも１つを備える、項目１５１に記載の方法。
（項目１５３）
前記天然および／または生物学的に誘導された接着剤は、フィブリン接着剤、またはＲＰＧ接着剤、あるいはそれらの誘導体のうちの少なくとも１つを備える、項目１５１に記載の方法。
（項目１５４）
前記組み換え接着剤は、フィブリン接着剤、ポリリシン接着剤、血漿から生物学的に誘導された接着剤、またはＲＰＧ接着剤、あるいはそれらの誘導体のうちの少なくとも１つを備える、項目１５１に記載の方法。
（項目１５５）
前記ハイブリッド接着剤は、アルブミンとグルタルアルデヒドとの接着剤を備える、項目１５１に記載の方法。
（項目１５６）
前記治療用レンズは、組織癒着のための光増感剤によって、前記上皮に接着され、前記光増感剤は、リボフラビン、インドシアニングリーン、ヤーヌスグリーン、ローズベンガル、またはメチレンブルー、あるいはそれらの誘導体のうちの少なくとも１つを備える、項目１４８に記載の方法。
（項目１５７）
眼の角膜の上皮欠損を治療する方法であって、該角膜は、間質および／またはボーマン膜とともに、該間質および／またはボーマン膜上に配置される上皮および涙液を備え、該方法は、
治療用レンズを該角膜に適用して、前記接着剤と前記上皮欠損との相互作用を抑制すること
を備える、方法。
（項目１５８）
前記治療用レンズは、湾曲上面と、湾曲下面とを備え、該湾曲下面は、前記上皮に接触するように成形されており、該治療用レンズは、前記上皮欠損から離れて配置される接着剤によって、該上皮に接着される、項目１５７に記載の方法。
（項目１５９）
少なくとも２つの開口は、前記上面から前記下面へと延在し、接着剤が、前記上皮に位置付けられる前記下面によって、該少なくとも２つの開口を通して、前記上皮に適用される、項目１５７に記載の方法。
（項目１６０）
前記接着剤をスプレーすること、および／または接着剤の液滴を前記治療用レンズおよび／または前記角膜に適用することをさらに備える、項目１５７に記載の方法。
（項目１６１）
前記治療用レンズは、タック、返し、刺毛、またはナノ構造のうちの少なくとも１つを備える、少なくとも１つの機械的構造によって、前記角膜に接着される、項目１５７に記載の方法。
（項目１６２）
前記少なくとも１つの構造は、角膜縁に接着される、項目１６１に記載の方法。
（項目１６３）
前記治療用レンズは、ヒドロゲルとともに、前記治療用レンズを前記接着剤に接着させるための周縁構造を備える、項目１５７に記載の方法。
（項目１６４）
前記治療用レンズは、中心を備え、前記少なくとも２つの開口は、該中心から少なくとも３ｍｍの所に配置される、項目１５７に記載の方法。
（項目１６５）
前記治療用レンズは、本体を前記接着剤に接着させるために、前記少なくとも２つの開口に露出された周縁構造を備える、項目１５７に記載の方法。
（項目１６６）
前記構造は、導管、鋸歯状部、城郭状縁、または粗面のうちの少なくとも１つを備える、項目１６５に記載の方法。
（項目１６７）
前記層は、レンズを備える、項目１５７に記載の方法。
（項目１６８）
眼の角膜の上皮欠損を治療するための方法であって、該角膜は、間質および／またはボーマン膜を備え、該方法は、
該間質および／またはボーマン膜上に治療用材料の層を形成すること
を備える、方法。
（項目１６９）
前記層は、前記間質および／またはボーマン膜の露出部分を横断するある距離にわたって均一の厚さを含む、均一層を備える、項目１６８に記載の方法。
（項目１７０）
前記層は、前記間質および／またはボーマン膜上に均一に蒸着される、均一層を備える、項目１６８に記載の方法。
（項目１７１）
前記層は、前記間質および／またはボーマン膜上に形成される、均一層を備える、項目１６８に記載の方法。
（項目１７２）
前記層を形成するために、マスキングおよび／またはスキャニングすることをさらに備える、項目１６８に記載の方法。
（項目１７３）
前記層は、光増感剤を備える、項目１６８に記載の方法。
（項目１７４）
光ビームによって、前記層を照射することをさらに備える、項目１６８に記載の方法。
（項目１７５）
前記層は、環状パターンで照射されることにより、環状ゾーンによって前記層を前記角膜に接着させる、項目１６８に記載の方法。
（項目１７６）
前記層は、羊膜材料を備える、項目１６８に記載の方法。
（項目１７７）
患者の眼の角膜の上皮欠損を治療するための方法であって、該角膜は、間質および／またはボーマン膜を備え、該方法は、
該上皮を除去して、屈折矯正を該眼に適用することと、
治療用層を該眼に適用することと
を備える、方法。
（項目１７８）
前記患者は、介護士によって追跡治療を受け、前記治療用層は、追跡通院時に、該患者の疼痛に応じて適用される、項目１７７に記載の方法。
（項目１７９）
前記均一層は、前記眼の屈折矯正直後に適用される、項目１７７に記載の方法。
（項目１８０）
前記治療用層は、疼痛の軽減、視機能の提供、角膜水分排出の回復、角膜腫脹の抑制、もしくは角膜からの光散乱の抑制あるいは前記間質および／またはボーマン膜の前面からの光散乱の抑制のうちの少なくとも１つを行なうように構成される、溶液を備える、項目１７７に記載の方法。
（項目１８１）
前記溶液は、前記角膜のモル浸透圧濃度以上のモル浸透圧濃度、疎水性溶液、または前記角膜の屈折率と一致する屈折率のうちの少なくとも１つを備える、項目１８０に記載の方法。
（項目１８２）
前記溶液は、グリセリンまたは硫酸デキストランのうちの少なくとも１つを備える、項目１８０に記載の方法。
（項目１８３）
前記治療用層は、羊膜材料を備える、項目１７７に記載の方法。
（項目１８４）
患者の眼の角膜を治療するシステムであって、該角膜は、間質および／またはボーマン膜を備え、該システムは、
該眼の間質および／またはボーマン膜上に配置するように構成されるハード治療用レンズであって、ハード材料を備えることによって、該患者が瞬きをするとき、該レンズ下の角膜組織を保護する、ハード治療用レンズと、
該レンズの中心から離れて配置されて、該レンズを該角膜に接着させる構造と
を備える、システム。
（項目１８５）
前記レンズは、前記眼の結膜まで延在するように構成され、前記構造は、該レンズを該結膜に接着させるように位置付けられる、項目１８４に記載のシステム。
（項目１８６）
前記構造は、前記ハード治療用レンズを通る開口を備えることによって、該ハード治療用レンズを前記結膜に接着させるために、返しを受容する、項目１８４に記載のシステム。
（項目１８７）
前記ハード治療用レンズは、前記眼が瞬きするとき、前記間質および／またはボーマン膜にかかる圧力を抑制するように構成される、項目１８４に記載のシステム。
（項目１８８）
患者の眼の角膜を治療する治療用レンズであって、該治療用レンズは、
成形された透明材料を備えるレンズ本体であって、該角膜に接触するための後側を備える、本体と、
該後側に配置される接着剤であって、該接着剤が角膜に対して定置されると、該レンズを上皮、ボーマン膜、または間質のうちの少なくとも１つに接着させる、接着剤と
を備える、治療用レンズ。
（項目１８９）
前記接着剤は、乾燥した水溶性接着剤を備え、該乾燥した水溶性接着剤は、前記角膜からの水によって、溶解し、レンズ本体を該角膜に接着させるように構成される、項目１８８に記載の治療用レンズ。
（項目１９０）
前記接着剤は、フィブリン接着剤、またはポリエチレングリコール接着剤、あるいはそれらの誘導体のうちの少なくとも１つを備える、項目１８８に記載の治療用レンズ。
（項目１９１）
前記接着剤は、除去剤によって除去するように構成される、除去可能接着剤を備える、項目１８８に記載の治療用レンズ。
（項目１９２）
前記接着剤は、フィブリンを備え、前記除去剤は、ストレプトキナーゼまたは組織プラスミノゲン活性化因子（ＴＰＡ）のうちの少なくとも１つを備える、項目１８８に記載の治療用レンズ。
（項目１９３）
眼の角膜を治療するための治療用カバーであって、該角膜は、間質および／またはボーマン膜を備え、該眼は結膜を備え、該カバーは、
該間質および／またはボーマン膜上に位置付け可能であることによって、該結膜の少なくとも一部上に延在する、治療用材料の層
を備える、カバー。
（項目１９４）
眼の角膜を治療するための治療用レンズであって、該角膜は、間質および／またはボーマン膜を備え、該眼は結膜を備える、該レンズは、
該間質および／またはボーマン膜の少なくとも一部上に位置付けられると、該結膜の少なくとも一部を被覆するように寸法設定される、レンズ本体
を備える、レンズ。
（項目１９５）
眼の角膜を治療するための治療用レンズであって、
第１の成分と、
第２の成分と
を備える、レンズ。
（項目１９６）
前記第１の成分は、ハード治療用レンズ材料を備え、前記第２の成分は、ソフト治療用レンズ材料を備える、項目１９５に記載の治療用レンズ。
（項目１９７）
前記ハード治療用レンズ材料は、ＰＭＭＡ、ガラス、または剛性ガス透過性材料のうちの少なくとも１つを備え、前記ソフト治療用レンズ材料は、ヒドロゲルまたはシリコンヒドロゲルのうちの少なくとも１つを備える、項目１９６に記載の治療用レンズ。
（項目１９８）
前記第１の成分は、中心に配置されて、前記ハード治療用レンズ材料によって、前記角膜の中心部分を保護し、前記第２の成分は、該第１の成分に接続されて、該第１の成分を支持する、項目１９６に記載の治療用レンズ。
（項目１９９）
前記第２の成分は、前記第１の成分の少なくとも周縁に配置されて、前記第２の成分を支持する、項目１９８に記載の治療用レンズ。
（項目２００）
前記第１の成分は、前記第２の成分下の中心に配置される、項目１９９に記載の治療用レンズ。
（項目２０１）
前記第２の成分は、前記第１の成分に接続される、環状内側境界を備える、項目１９９に記載の治療用レンズ。
（項目２０２）
前記第２の成分は、前記角膜の上皮の粘膜に接着させるように構成される、粘膜接着剤組成を備える、項目１９６に記載の治療用レンズ。
（項目２０３）
前記粘膜接着剤組成は、抗生剤、抗炎症剤、非ステロイド系抗炎症剤、ステロイド、鎮痛剤、または麻酔剤のうちの少なくとも１つを含む、治療剤を備える、項目２０２に記載の治療用レンズ。
（項目２０４）
前記第１の成分下に配置され、該第１の成分をボーマン膜および／または間質に接着させる接着剤をさらに備え、該接着剤は、フィブリン系接着剤、ポリエチレングリコール系接着剤、アルブミン系接着剤、シアノアクリレート系接着剤、または活性化された官能基を伴う少なくとも１つの改変タンパク質のうちの少なくとも１つを備える、項目１９６に記載の治療用レンズ。
（項目２０５）
眼を治療する方法であって、該方法は、
第１のレンズ成分および第２のレンズ成分を該眼上に定置することと、
接着剤によって、該第１のレンズまたは該第２の成分のうちの少なくとも１つを該眼に接着させることと
を備える、方法。
（項目２０６）
前記第１の成分は、接着され、そして中心成分を備え、前記接着剤は、フィブリン系接着剤、ポリエチレングリコール系接着剤、アルブミン系接着剤、シアノアクリレート系接着剤、または活性化された官能基を伴う少なくとも１つの改変タンパク質のうちの少なくとも１つを備える、項目２０５に記載の方法。
（項目２０７）
前記第２の成分は、周縁成分を備え、該第２の成分は、前記眼の上皮の粘膜に接着される、項目２０５に記載の方法。
（項目２０８）
前記接着剤は、ポリ（Ｎ，Ｎ−ジメチルアクリルアミド−ｃｏ−アクリル酸−ｃｏ−メタクリル酸ポリスチレンエチル）を備える、項目２０７に記載の方法。
（項目２０９）
前記第１の成分は、第１の接着剤によって、中心に、間質および／またはボーマン膜に接着され、第２の成分は、第２の接着剤によって、周縁方向に、上皮に接着される、項目２０５に記載の方法。
（項目２１０）
前記第２の接着剤は、前記上皮の粘膜に接着される、項目２０９に記載の方法。
（項目２１１）
眼の角膜を治療する方法であって、該方法は、
第１の材料を備える第１の層を該角膜上にスプレーすることと、
第２の材料を備える第２の層をスプレーすることであって、該第２の層は、該第１の材料上に配置される、ことと
を備える、方法。
（項目２１２）
前記第１の層は、前記角膜の間質および／またはボーマン膜上にスプレーされ、該間質および／またはボーマン膜に接着する、項目２１１に記載の方法。
（項目２１３）
前記第１の層が、水に実質的に不透過性である薄型光学表面材料を備えることによって、該第１の層は、前記角膜の内皮揚水からの吸引によって、前記間質および／またはボーマン膜に接着可能となり、浮腫を制御し、光学的に透明のままである、項目２１２に記載の方法。
（項目２１４）
前記第２の層は、前記角膜の上皮上にスプレーされ、該上皮の粘膜に接着する、項目２１１に記載の方法。
（項目２１５）
前記第２の層は、前記第１の層に接触する第１の表面と、該第１の表面の反対側に配置される第２の表面とを備え、該第２の層が、該第２の表面によって該第１の表面の粗度を平滑化するために十分な厚さを有することによって、該第２の表面は、患者の視力のための光学表面を備える、項目２１４に記載の方法。
（項目２１６）
前記第１の層または前記第２の層のうちの少なくとも１つは、治療剤を備える、項目２１１に記載の方法。
（項目２１７）
前記治療剤は、抗生剤、抗炎症剤、非ステロイド系抗炎症剤、ステロイド、鎮痛剤、または麻酔剤のうちの少なくとも１つを備える、項目２１６に記載の方法。
（項目２１８）
前記第１の層は、羊膜材料を備える、項目２１１に記載の方法。
（項目２１９）
眼の角膜を治療する方法であって、
第１の材料を備える層を該角膜上にスプレーすることと、
該第１の材料上にレンズを定置することと
を備える、方法。
（項目２２０）
前記第１の層は、前記角膜の間質および／またはボーマン膜上にスプレーされ、該間質および／またはボーマン膜に接着する、項目２１９に記載の方法。
（項目２２１）
眼の角膜を治療するためのシステムであって、
第１の材料を該角膜上にスプレーする噴霧器
を備える、システム。
（項目２２２）
眼の視力を矯正するために、該眼の角膜の露出表面上に定置するための治療用カバーであって、該カバーは、
光学的に透明な透過性材料から成る中心部分を備える、レンズと、
該レンズの外側部分から延在し、該レンズを該角膜上に係留する、少なくとも１つのアンカと
を備える、カバー。
（項目２２３）
前記少なくとも１つのアンカが、底面から先端へと第１の方向に延在する第１の縫合タックと、底面から先端へと該第１の方向と反対の第２の方向に延在する第２の縫合タックとを備えることによって、前記レンズは、該レンズが、該第１の縫合タックを該第１の方向に、該第２の縫合タックを該第２の方向に延在させるように回転されると、前記角膜上に係留される、項目２２２に記載の治療用カバー。
（項目２２４）
前記少なくとも１つのアンカは、前記タックの底面から該タックの先端まで約４００ミクロン以下だけ延在するように構成される、タックまたは縫合糸のうちの少なくとも１つを備える、項目２２２に記載の治療用カバー。
（項目２２５）
前記少なくとも１つのアンカは、前記タックの底面から該タックの先端まで約２００ミクロン以下だけ延在するように構成される、タックまたは縫合糸のうちの少なくとも１つを備える、項目２２２に記載の治療用カバー。
（項目２２６）
前記少なくとも１つのアンカは、前記タックの底面から該タックの先端まで約５０ミクロン以下だけ延在するように構成される、タックまたは縫合糸のうちの少なくとも１つを備える、項目２２２に記載の治療用カバー。
（項目２２７）
前記少なくとも１つのアンカは、腐食すると、前記レンズを解放するように構成される、腐食性材料を備える、項目２２２に記載の治療用カバー。
（項目２２８）
前記少なくとも１つのアンカは、形状記憶材料を備える、項目２２２に記載の治療用カバー。
（項目２２９）
前記少なくとも１つのアンカは、前記外側部分上に配置されるタック、吸引カップ、斜面、縫合糸、タブ、または環状構造のうちの少なくとも１つを備える、項目２２２に記載の治療用カバー。
（項目２３０）
前記少なくとも１つのタックは、前記レンズの中心に向かって内側に傾斜している、項目２２９に記載の治療用カバー。
（項目２３１）
前記治療用レンズは、後面上に底面曲率半径を備え、前記角膜は、前面上に前面曲率半径を備え、前記治療用レンズの底面曲率半径は、該角膜の前面曲率半径以下である、項目２３０に記載の治療用カバー。
（項目２３２）
前記治療用レンズは、該レンズが、前記角膜上に位置付けられると、弾性力によって、前記少なくとも１つの周縁方向に傾斜したタックを内側に付勢するように構成される、項目２３０に記載の治療用カバー。
（項目２３３）
前記少なくとも１つのタックは、前記レンズの中心から外側に傾斜した、項目２２９に記載の治療用カバー。
（項目２３４）
前記治療用レンズは、後面上に底面曲率半径を備え、前記角膜は、前面上に前面曲率半径を備え、該底面曲率半径は、該前面曲率半径以上である、項目２３３に記載の治療用カバー。
（項目２３５）
前記治療用レンズは、該レンズが、前記角膜上に位置付けられると、弾性力によって、前記少なくとも１つのタックを外側に付勢するように構成される、項目２３３に記載の治療用カバー。
（項目２３６）
前記眼の瞳孔上に定置するための中心光学部分と、前記角膜の周縁部分または該眼の結膜のうちの少なくとも１つ上に延在する外側部分とが、該眼上に定置されると、該少なくとも１つのアンカは、前記外側周縁部分上に位置付けられ、前記レンズが、該角膜上に位置付けられると、該角膜の周縁部分または該眼の結膜のうちの少なくとも１つ内へと延在する、項目２３３に記載の治療用カバー。
（項目２３７）
前記少なくとも１つのアンカは、強膜または前記角膜の間質内へと延在せずに、前記結膜内へと延在するように寸法設定される長さを有する、項目２３６に記載の治療用カバー。
（項目２３８）
レンズが、湾曲した後面と、湾曲した前面とを備えることによって、該レンズは、約１ジオプトリー以下の屈折力を備える、項目２３３に記載の治療用カバー。
（項目２３９）
前記少なくとも１つのアンカは、前記外側部分上に配置される、少なくとも４つのタックを備える、項目２３３に記載の治療用カバー。
（項目２４０）
治療用カバーを眼の角膜の露出表面上に定置する方法であって、
光学的に透明な透過性材料を備えるレンズを提供することであって、該レンズは、該レンズの外側部分から延在する少なくとも１つのアンカを備える、ことと、
該レンズを該眼上に定置し、該少なくとも１つのアンカによって、該レンズを該角膜上に係留することと
を備える、方法。
（項目２４１）
前記少なくとも１つのアンカは、少なくとも１つのタックを備える、項目２４０に記載の方法。
（項目２４２）
前記少なくとも１つのタックは、前記レンズの中心に向かって内側に傾斜した、項目２４１に記載の方法。
（項目２４３）
前記治療用レンズは、後面上に底面曲率半径を備え、前記角膜は、前面曲率半径を備え、前記治療用レンズの底面曲率半径は、前記角膜の前面曲率半径以下である、項目２４２に記載の方法。
（項目２４４）
前記治療用レンズは、該レンズが、前記角膜上に位置付けられると、弾性力によって、前記少なくとも１つの内向きに傾斜したタックを内側に付勢する、項目２４２に記載の方法。
（項目２４５）
レンズが、第１の構成を備えることによって、該レンズは、前記アンカを備える該レンズの外側部分によって、前記角膜または前記結膜のうちの少なくとも１つに係合し、該レンズが、前後方向の適所に押動されることによって、該レンズの外側部分は、該レンズが該角膜上に定置されると、該レンズの中心から外側に弾性的に伸縮され、第２の構成をとり、該アンカは、該レンズが解放されると、弾性力によって、内側に付勢され、該角膜または該結膜のうちの少なくとも１つに係合する、項目２４０に記載の方法。
（項目２４６）
前記治療用レンズを除去することをさらに備え、該レンズは、該レンズが除去されると、外側に伸縮される、項目２４５に記載の方法。
（項目２４７）
前記少なくとも１つのタックは、前記レンズの中心から外側に傾斜している、項目２４１に記載の方法。
（項目２４８）
前記治療用レンズは、後面上に底面曲率半径を備え、前記角膜は、前面上に前面曲率半径を備え、該底面曲率半径は、該前面曲率半径以上である、項目２４７に記載の方法。
（項目２４９）
前記治療用レンズは、該レンズが、前記角膜上に位置付けられると、弾性力によって、前記少なくとも１つのタックを外側に付勢する、項目２４７に記載の方法。
（項目２５０）
前記レンズは、前記レンズの中心に向かって内側に圧搾されて、弾性の圧搾構成をとり、該レンズが、前記眼上に定置されると、該レンズが解放され、解放構成をとることによって、前記少なくとも１つのアンカは、弾性力によって、前記角膜を外側に付勢し、該解放構成に係合する、項目２４７に記載の方法。
（項目２５１）
前記治療用レンズを除去することをさらに備え、該レンズは、該レンズが除去されると、内側に圧縮される、項目２５０に記載の方法。
（項目２５２）
患者の眼の角膜のための治療用カバーであって、
眼瞼の瞬きに抵抗するために十分な機械的抵抗によって、該眼上に位置付けるように構成される、レンズ
を備える、カバー。
（項目２５３）
治療用カバーを前記眼の角膜上にスプレーする方法であって、
光学的に透過性層を該角膜上にスプレーすること
を備える、方法。
（項目２５４）
眼の角膜を有する患者を治療する方法であって、
接着剤の層をレンズの外側部分上にスプレーすることによって、該レンズを該角膜に接着させること
を備える、方法。
（項目２５５）
欠損を伴う上皮を有する患者の角膜を治療する治療用デバイスであって、
角膜の形状に適合するように適応され、前記角膜の腫脹を軽減させるカバー
を備える、デバイス。
（項目２５６）
前記カバーは、該カバーが、前記上皮欠損にわたって、前記角膜上に定置されると、該角膜の腫脹の水分排出または最小化のうちの少なくとも１つを行なうように構成される、項目２５５に記載のデバイス。
（項目２５７）
前記カバーは、約２００ミクロン以下の厚さと、少なくとも約５ｍｍの幅とを備え、前記角膜に適合する、項目２５５に記載のデバイス。
（項目２５８）
前記カバーは、該カバーの少なくとも内側部分に沿って延在し、該カバーを通る水流を抑制する、疎水性層または上部疎水性表面のうちの少なくとも１つを備える、項目２５５に記載のデバイス。
（項目２５９）
前記疎水性層または前記上部疎水性表面のうちの少なくとも１つは、シリコーン、エラストマー、シリコーンエラストマー、シリコーンヒドロゲル、またはポリウレタンのうちの少なくとも１つを備える、項目２５８に記載のデバイス。
（項目２６０）
前記カバーは、該カバーの少なくとも内側部分に沿って延在し、前記角膜に沿う該カバーの摺動を抑制する、下部親水性層または親水性表面のうちの少なくとも１つを備える、項目２５５に記載のデバイス。
（項目２６１）
前記下部親水性層または前記下部親水性表面のうちの少なくとも１つは、ヒドロゲル、２−ヒドロキシエチルメタクリレート（ＨＥＭＡ）、メタクリル酸（ＭＡ）、メチルメタクリレート（ＭＭＡ）、Ｎ，Ｎ−ジメチルアクリルアミド（ＤＭＡ）；Ｎ−ビニルピロリドン（ＮＶＰ）、ホスホリルコリン（ＰＣ）、ポリビニルアルコール（ＰＶＡ）、またはポリビニルピロリドン（ＰＶＰ）、トリス−（トリメチルシロキシシリル）プロピルビニルカルバメート（ＴＰＶＣ）；Ｎ−カルボキシビニルエステル（ＮＣＶＥ）；シリコーンヒドロゲル、ポリ［ジメチルシロキシル］ジ［シリルブタノール］ビス［ビニルカルバメート］（ＰＢＶＣ）；シリケート、プラズマ処理されたシリコーンヒドロゲル、ガラス質の島状体を生成するプラズマコーティング、高屈折率を伴う２５ｎｍプラズマコーティング、フィブリン、またはＢｉｏｇｌｕｅのうちの少なくとも１つを備える、項目２６０に記載のデバイス。
（項目２６２）
前記カバーは、少なくとも約８０のＤｋを有する、少なくとも１つの材料を備える、項目２５５に記載のデバイス。
（項目２６３）
前記カバーは、約２５乃至約１００ミクロンの範囲内の厚さと、少なくとも約８０のＤｋとを備える、項目２５５に記載のデバイス。
（項目２６４）
前記Ｄｋは、酸素透過率パラメータを備え、該Ｄｋは、少なくとも約３５０以上を備え、前記カバーが装着されると、複数日間、腫脹を抑制する、項目２６３に記載のデバイス。
（項目２６５）
前記カバーは、該カバーの少なくとも内側部分に沿って延在する、上部光学表面を備える、項目２５５に記載のデバイス。
（項目２６６）
前記カバーは、前記角膜の焼灼された表面輪郭に適合するように適応される、内側部分を備える、項目２５５に記載のデバイス。
（項目２６７）
前記内側部分は、前記角膜内に焼灼された収差に適合するように適応され、前記眼の収差を矯正する、項目２６６に記載のデバイス。
（項目２６８）
前記カバーは、コンタクトレンズを備える、項目２５５に記載のデバイス。
（項目２６９）
前記カバーが、下面から上面へと延在する実質的に均一厚を有する少なくとも内側部分を備えることによって、該カバーは、該カバーの少なくとも内側部分に約＋／−１Ｄ以下の屈折力を有する、項目２５５に記載のデバイス。
（項目２７０）
前記カバーは、前記カバーの少なくとも外側部分に沿って延在する下部湾曲表面を備え、前記下部湾曲表面は、前記上皮欠損から離れて前記角膜に嵌合するように成形される、項目２５５に記載のデバイス。
（項目２７１）
前記外側部分は、前記角膜の非焼灼部分とシールを形成するように適応される、項目２７０に記載のデバイス。
（項目２７２）
前記外側部分は、カバー曲率半径を備え、該カバーの周縁部分が、前記上皮欠損から離れて、角膜の周縁部分に対して定置されると、伸縮するように構成され、該カバー半径は、該角膜の曲率半径未満である、項目２７１に記載のデバイス。
（項目２７３）
前記内側部分が、ソフト材料と、約２００ミクロン以下の厚さとを備えることによって、該内側部分は、前記外側部分が、前記角膜の非焼灼部分とシールを形成すると、該角膜の焼灼された表面輪郭に適合する、項目２６６に記載のデバイス。
（項目２７４）
前記カバーは、下部平面表面と、該下部平面表面と反対側の上部光学表面とを備え、該カバーは、前記角膜の湾曲した表面に適合するように適応される、項目２５５に記載のデバイス。
（項目２７５）
前記カバーは、内側部分と、外側部分とを備え、該内側部分は、下部親水性表面を備え、上皮欠損下の露出間質組織に接触するように寸法設定され、該外側部分は、該上皮に接触するように寸法設定される、疎水性下面を備える、項目２５５に記載のデバイス。
（項目２７６）
前記内側部分は、前記露出間質組織の表面断面に適合し、前記露出表面に沿った摺動を抑制するように適応され、前記外側部分は、該外側部分が前記上皮に接触すると、シールを形成するように適応される、項目２７５に記載のデバイス。
（項目２７７）
前記上皮欠損が治癒すると、前記カバーを上皮欠損に対して保持するように構成される、コンタクトレンズをさらに備え、該カバーは、該コンタクトレンズが、該カバーを該上皮欠損に対して保持すると、前記角膜の湾曲した表面輪郭に適合するように適応される、項目２５５に記載のデバイス。
（項目２７８）
前記カバーは、腐食性材料含む、腐食性カバーを備える、項目２５５に記載のデバイス。
（項目２７９）
前記カバーは、第１の速度で腐食するように構成される外側部分と、第２の速度で腐食するように構成される内側部分とを備え、該第１の腐食速度は、該第２の腐食速度より速く、該カバーの内側部分の前に、該カバーの外側部分を腐食させる、項目２７８に記載のデバイス。
（項目２８０）
前記外側部分は、第１の量の架橋結合を備え、前記内側部分は、第２の量の架橋結合を備え、該内側部分の前に、該外側部分を腐食させる、項目２７９に記載のデバイス。
（項目２８１）
前記外側部分は、前記眼上への定置から２４時間以内に腐食するように構成され、前記内側部分は、該眼上への定置後４８時間で腐食するように構成される、項目２７９に記載のデバイス。
（項目２８２）
前記外側部分は、第１の外側部分と、該第１の外側部分の周縁の第２の外側部分とを備え、前記内側部分は、第１の内側部分と、該第１の内側部分から内側に配置される第２の内側部分とを備える、項目２７９に記載のデバイス。
（項目２８３）
前記カバーは、上面と、下面と、疎水性層と、親水性層とを備え、該疎水性層および前記親水性層はそれぞれ、該上面と該下面との間に配置され、該親水性層は、該下面により近接し、該疎水性層は、該上面により近接している、項目２５５に記載のデバイス。
（項目２８４）
前記親水性層は、羊膜材料を備える、項目２８３に記載のデバイス。
（項目２８５）
前記羊膜材料は、羊膜組織層、羊膜フィルム、コンタクトレンズ材料内に封入される羊膜粒子、羊膜溶液、羊膜組織修復または成長因子のうちの少なくとも１つを備える、項目２８４に記載のデバイス。
（項目２８６）
前記羊膜材料は、前記羊膜組織層を備え、該羊膜組織層は、前記疎水性層に接着される、項目２８５に記載のデバイス。
（項目２８７）
前記親水性層は、前記疎水性層の厚さの少なくとも約２倍の厚さを備える、項目２８３に記載のデバイス。
（項目２８８）
前記親水性層は、前記疎水性層の厚さの約半分以下の厚さを備える、項目２８３に記載のデバイス。
（項目２８９）
前記親水性層または前記疎水性層のうちの少なくとも１つは、少なくとも１つの単分子層を備える、項目２８３に記載のデバイス。
（項目２９０）
前記少なくとも１つの単分子層は、約４０ｎｍ以下の厚さを備える、項目２８９に記載のデバイス。
（項目２９１）
前記親水性層は、前記少なくとも１つの単分子層を備える、項目２８９に記載のデバイス。
（項目２９２）
前記疎水性層は、前記少なくとも１つの単分子層を備える、項目２８９に記載のデバイス。
（項目２９３）
前記少なくとも１つの単分子層は、２つの単分子層を備え、前記疎水性層および前記親水性層はそれぞれ、該２つの単分子層のうちの１つを備える、項目２８９に記載のデバイス。
（項目２９４）
前記カバーが、前記疎水性層より前記上面に近接して配置される、第２の親水性層を備えることによって、該疎水性層は、該親水性層と該第２の親水性層との間に配置される、項目２８３に記載のデバイス。
（項目２９５）
前記カバーは、上皮欠損上に定置するように構成される内側部分と、該欠損から離れて、該上皮上に定置するように構成される外側部分とを備え、該カバーは、該外側部分に沿って延在し、流体を通過させる、少なくとも１つの導管をさらに備える、項目２５５に記載のデバイス。
（項目２９６）
前記少なくとも１つの導管は、前記外側部分の外側境界から前記内側部分へと延在する毛細管を備える、項目２９５に記載のデバイス。
（項目２９７）
前記少なくとも１つの導管は、前記外側部分の下面に沿って、該外側部分の外側境界から前記内側部分へと延在する、項目２９５に記載のデバイス。
（項目２９８）
前記流体は、気体または液体のうちの少なくとも１つを備える、項目２９５に記載のデバイス。
（項目２９９）
少なくとも１つの導管は、前記外側部分の厚さを通して延在する、複数の開口を備える、項目２９５に記載のデバイス。
（項目３００）
前記カバーは、上面部分を備える上面と、該上面部分の反対側に配置される下面部分を備える下面とを備え、該上面部分は、該下面部分より平滑である、項目２５５に記載のデバイス。
（項目３０１）
前記下面部分は、間質表面に対する摩擦に対する第１の量の粗度を備え、前記上面部分は、第２の量の粗度を備え、該第２の量の粗度は、該第１の量の粗度未満であって、前記患者が瞬きをすると、コンタクトレンズまたは眼瞼のうちの少なくとも１つに沿って、該上面部分を摺動させ、該間質表面に沿う該下部部分の摺動を抑止する、項目３００に記載のデバイス。
（項目３０２）
前記下面部分は、第１の量の粗度を備え、前記上面部分は、第２の量の粗度を備え、該第１の量の粗度は、該第２の量の粗度の少なくとも約２倍である、項目３００に記載のデバイス。
（項目３０３）
前記上面部分は、光学的平滑表面を備える、項目３００に記載のデバイス。
（項目３０４）
前記上面部分の光学的平滑表面は、約２０／２５以上の視力のＲＭＳ粗度を備える、項目３０３に記載のデバイス。
（項目３０５）
下面部分は、光学的粗面を備える、項目３００に記載のデバイス。
（項目３０６）
前記光学的粗面は、前記カバーが前記角膜に対して定置される前は、約２０／２５未満の視力、該カバーが該角膜上に定置されると、少なくとも約２０／２５以上の視力のＲＭＳ粗度を備える、項目３０５に記載のデバイス。
（項目３０７）
下面部分は、約１．３６乃至約１．４０の範囲内の屈折率を有する材料を備える、項目３０６に記載のデバイス。
（項目３０８）
前記下面部分は、微小機械加工構造、焼灼構造、連結構造、ナノ構造、または刺毛構造のうちの少なくとも１つを備える、項目３００に記載のデバイス。
（項目３０９）
前記カバーは、該カバーを前記角膜上に保持するための電荷を備える、項目２５５に記載のデバイス。
（項目３１０）
前記カバーは、薬物を備える、項目２５５に記載のデバイス。
（項目３１１）
前記カバーは、前記薬物を伴わない外側部分を備え、該カバーは、該薬物を放出するように構成される内側部分を備える、項目３１０に記載のデバイス。
（項目３１２）
前記内側部分は、前記薬物を放出するように構成され、第１の時間の間、該薬物を放出するように構成される第１の内側部分と、第２の時間の間、該薬物を放出するように構成される第２の内側部分とを備える、項目３１１に記載のデバイス。
（項目３１３）
前記第１の内側部分が、第１の全体長を備え、前記第２の内側部分が、第２の全体長を備え、前記第１の時間が、前記第２の時間未満であることによって、前記上皮は、求心的に発達し、前記上皮欠損を被覆するのにつれて、より多くの薬物が、該第２の内側部分から解放される、項目３１２に記載のデバイス。
（項目３１４）
前記第１の全体長が、約５ｍｍ以下を備え、前記第２の全体長が、約３ｍｍ以下を備え、前記第１の時間が、約１日以下を備え、前記第２の時間が、約２日以下であることによって、前記上皮は、求心的に発達し、前記上皮欠損を被覆するのにつれて、前記第２の内側部分からより多くの薬物が放出される、項目３１３に記載のデバイス。
（項目３１５）
前記カバーは、内側部分と、周縁部分とを備え、該内側部分は、前記患者が視認できるように構成される光学的に透過性材料を備え、前記外側部分は、光学的に不透過性材料を備える、項目２５５に記載のデバイス。
（項目３１６）
前記カバーは、バンデージに沿って延在し、該バンデージから前記角膜に下方力を付与するように構成される、構造を備える、項目２５５に記載のデバイス。
（項目３１７）
前記バンデージは、バンデージ用コンタクトレンズを備え、前記構造は、少なくとも２つの周縁構造を備え、該少なくとも２つの周縁構造は、該バンデージ用コンタクトレンズの下面に沿って延在するように構成される開口または突起のうちの少なくとも１つを備える、項目３１６に記載のデバイス。
（項目３１８）
患者の眼の角膜を治療する方法であって、
カバーを該角膜上に定置し、該角膜の腫脹を軽減させること
を備える、方法。
（項目３１９）
前記眼瞼に対して検鏡を定置し、前記眼を露出させることによって、前記角膜を乾燥させることをさらに備え、該検鏡が該眼瞼に対して定置されると、前記カバーは、該角膜上に定置される、項目３１８に記載の方法。
（項目３２０）
レーザビームによって、前記角膜の露出間質組織を焼灼し、前記眼の視力を矯正することをさらに備える、項目３１９に記載の方法。
（項目３２１）
前記カバーの少なくとも一部は、前記乾燥した角膜の露出間質組織に対して定置され、該カバーが該露出間質組織に対して定置されると、該露出間質組織に対して定置される該カバーの一部は、生理学的水和未満に対応する水和量を備える、項目３２０に記載の方法。
（項目３２２）
前記カバーは、前記角膜と前記カバーの少なくとも一部との間にシールを形成し、前記角膜内への水流を減少させる、項目３１８に記載の方法。
（項目３２３）
前記カバーは、前記角膜の上皮欠損上に定置され、
該上皮欠損が治癒すると、該カバーを除去すること
をさらに備える、項目３１８に記載の方法。
（項目３２４）
前記上皮は、前記角膜上に残留し、前記カバーが除去されると、該カバーから分離する、項目３２３に記載の方法。
（項目３２５）
前記カバーが除去されると、前記眼に水を提供し、前記上皮から該カバーを弛緩させることをさらに備える、項目３２４に記載の方法。
（項目３２６）
前記カバーは、親水性である下面を備え、摺動を抑制する、項目３１８に記載の方法。
（項目３２７）
前記カバーは、実質的に水不透過性の材料を備え、前記シールが形成されると、前記角膜の腫脹の水分排出または最小化のうちの少なくとも１つを行なう、項目３１８に記載の方法。
（項目３２８）
前記角膜は、上皮欠損を備え、前記カバーは、前記シールが形成されると、前記間質に対して吸着し、該間質に接着するように構成される、下面または下部材料のうちの少なくとも１つを備え、該下面または下部材料のうちの少なくとも１つは、該間質に対するほど該上皮に実質的に接着しないように構成される、項目３１８に記載の方法。
（項目３２９）
前記下面または前記下部材料のうちの少なくとも１つは、親水性下面を備え、前記間質に接触し、前記上皮が、前記欠損を被覆すると、該親水性下面は、該上皮に対して、該間質より低い接着性を備える、項目３２８に記載の方法。
（項目３３０）
前記患者の視力を矯正するために、前記カバーが前記角膜上に定置されると、該カバーを焼灼することをさらに備える、項目３１８に記載の方法。
（項目３３１）
前記カバーは、実質的に酸素透過率材料を備える、項目３１８に記載の方法。
（項目３３２）
前記角膜は、上皮欠損を備え、前記カバーが該角膜上に定置され、上皮欠損が治癒すると、該カバーを除去することをさらに備える、項目３１８に記載の方法。
（項目３３３）
前記カバーは、コンタクトレンズを備える、項目３１８に記載の方法。
（項目３３４）
前記角膜を測定し、前記カバーの特徴を決定することと、
該特徴に応じて、複数のカバーの中から該カバーを選択することによって、該カバーが該角膜上に定置されると、前記シールが形成される、ことと
をさらに備える、項目３１８に記載の方法。
（項目３３５）
前記角膜を測定して、該角膜の湾曲を決定し、前記特徴が、前記カバーの下面の曲率半径を備える、項目３３４に記載の方法。
（項目３３６）
前記カバーは、羊膜材料を備える、項目３１８に記載の方法。
（項目３３７）
ＰＲＫ後の患者の眼を治療する方法であって、該眼は、上皮と、該上皮の欠損とを備える、角膜を有し、該方法は、
該眼上にコンタクトレンズを定置することであって、これにより、該上皮の非焼灼領域とシールを形成して、該角膜の腫脹が軽減される、ことと、
該上皮の欠損が治癒すると、該コンタクトレンズを除去することと
を備える、方法。
（項目３３８）
前記コンタクトレンズを前記眼に嵌合させ、前記シールを形成すること
をさらに備える、項目３３７に記載の方法。
（項目３３９）
前記コンタクトレンズは、表面または材料のうちの少なくとも１つを備え、前記シールが形成されると、該コンタクトレンズを通る水流を抑制し、前記角膜から水分排出させ、該コンタクトレンズは、該シールが形成されると、該コンタクトレンズを焼灼された間質に接着させ、前記上皮が再生すると、該上皮から該コンタクトレンズを解放する、親水性表面を含む、少なくとも内側部分を備え、該上皮欠損を被覆する、項目３３７に記載の方法。
（項目３４０）
前記コンタクトレンズは、少なくとも内側部分を備え、該内側部分は、前記シールが形成されると、焼灼された間質の前面に適応し、視力を矯正する、項目３３７に記載の方法。
（項目３４１）
前記コンタクトレンズは、前記上皮の非焼灼領域とシールを形成する、少なくとも外側部分を備える、項目３３７に記載の方法。
（項目３４２）
眼を治療する方法であって、
視力を改善するために、該眼を乾燥させること
を備える、方法。
（項目３４３）
前記眼は、高浸透圧剤またはそこを通る水流を抑制するように構成される層のうちの少なくとも１つによって、乾燥される、項目３４２に記載の方法。
（項目３４４）
前記高浸透圧剤は、グリセリンまたはｈｅａｌｏｎのうちの少なくとも１つを備える、項目３４３に記載の方法。
（項目３４５）
水流を抑制するように構成される前記層は、疎水性層を備える、項目３４３に記載の方法。
（項目３４６）
前記眼は、上皮を含む角膜を備え、レーザビームによって、該上皮内の欠損を通して、該眼の角膜を焼灼することさらに備え、該眼が乾燥されると、該上皮は、該欠損を備える、項目３４２に記載の方法。
（項目３４７）
上皮欠損を有する眼を治療する治療用カバーであって、
レンズを備える、内側部分と、
内皮吸引によって、該眼に適合するように構成され、該レンズを備える内側部分を該上皮欠損上に保持する、外側部分と
を備える、カバー。
（項目３４８）
前記内側部分は、該レンズが前記上皮欠損上に定置されると、該レンズの正面の光学平滑性を保持する剛性を備える、項目３４７に記載のカバー。
（項目３４９）
前記内側部分は、第１の剛性を備え、前記レンズが前記上皮欠損上に定置されると、該レンズの正面の光学平滑性を保持し、前記外側部分は、前記角膜に適合し、該上皮欠損をシールする、第２の剛性を備え、該第１の剛性は、該第２の剛性を上回る、項目３４７に記載のカバー。
（項目３５０）
前記内側部分は、前記眼上への定置前の第１の内側構成と、該眼上への定置後の第２の内側構成とを備えるように構成され、該第２の内側構成は、前記第２の構成と実質的に類似し、前記レンズの光学特性を保持する、項目３４７に記載のカバー。
（項目３５１）
前記外側部分が、前記眼上への定置前の第１の外側構成と、該眼上への定置後の第２の外側構成とを備えるように構成され、該第２の外側構成が、該第１の外側構成と異なることによって、前記第２の構成は、前記上皮と適合し、内皮吸引によって、該上皮に対して、該外側部分をシールする、項目３５０に記載のカバー。
（項目３５２）
前記レンズを備える内側部分は、前記再生上皮を上回る剛性によって、前記レンズ下の再生上皮を平滑化するように構成される、項目３４７に記載のカバー。
（項目３５３）
前記内側部分および前記外側部分は、少なくとも約３５０の酸素透過率Ｄｋパラメータを備える、項目３４７に記載のカバー。
（項目３５４）
前記内側部分および前記外側部分は、少なくとも約４００の複合酸素透過率Ｄｋパラメータを備える、項目３４７に記載のカバー。
（項目３５５）
前記内側部分および前記外側部分は、少なくとも約５００の酸素透過率Ｄｋパラメータを備える、項目３４７に記載のカバー。
（項目３５６）
前記内側部分および前記外側部分はそれぞれ、少なくとも約３５０の酸素透過率Ｄｋパラメータを備える、項目３４７に記載のカバー。
（項目３５７）
前記外側部分の酸素透過率Ｄｋパラメータは、少なくとも約４００を備える、項目３５６に記載のカバー。
（項目３５８）
前記外側部分の酸素透過率Ｄｋパラメータは、少なくとも約５００を備える、項目３５６に記載のカバー。
（項目３５９）
前記内側部分の酸素透過率Ｄｋパラメータは、少なくとも約４００を備える、項目３５６に記載のカバー。
（項目３６０）
前記内側部分の酸素透過率Ｄｋパラメータは、少なくとも約５００を備える、項目３５６に記載のカバー。
（項目３６１）
前記内側部分および前記外側部分はそれぞれ、水を抑制する疎水性層と、上部親水性層と、下部親水性層とを備え、該疎水性層は、該上部親水性層と該下部親水性層との間に配置される、項目３４７に記載のカバー。
（項目３６２）
前記上部親水性層は、上部潤滑コーティングまたは上部プラズマコーティングのうちの少なくとも１つを備え、前記下部親水性層は、下部潤滑コーティングまたは下部プラズマコーティングのうちの少なくとも１つを備える、項目３６１に記載のカバー。
（項目３６３）
前記内側部分の疎水性層および前記外側部分の疎水性層は、少なくとも約３５０のＤｋを有するシリコーンを備える、項目３６１に記載のカバー。
（項目３６４）
前記内側部分は、約２００μｍ以下の厚さを備える、項目３４７に記載のカバー。
（項目３６５）
前記内側部分は、約１００μｍ以下の厚さを備える、項目３６９に記載のカバー。
（項目３６６）
前記外側部分は、約１００μｍ以下の厚さを備える、項目３４７に記載のカバー。
（項目３６７）
前記外側部分は、約５０μｍ以下の厚さを備える、項目３７１に記載のカバー。
（項目３６８）
前記外側部分は、約５０μｍ以下の周縁厚を備え、厚さの増加に伴って、前記中心部分に向かって延在する、項目３６６に記載のカバー。
（項目３６９）
前記外側部分は、下面に沿う曲率半径を備える、項目３４７に記載のカバー。
（項目３７０）
前記内側部分は、前記下面に沿う曲率半径を備える、項目３６９に記載のカバー。
（項目３７１）
前記曲率半径は、約７ｍｍ乃至約８ｍｍの範囲内にあることにより、内皮吸引によって、前記角膜の外側部分に接着する、項目３６９に記載のカバー。
（項目３７２）
前記外側部分は、前記上皮欠損の外側境界に適合するように構成される、項目３６９に記載のカバー。
（項目３７３）
前記カバーの外側部分が、焼灼ゾーンの外側の前記角膜の第１の湾曲に適合し、かつ該焼灼ゾーン内の該角膜の第２の湾曲に適合するように構成されることによって、該角膜は、該焼灼ゾーン上にシールされる、項目３６９に記載のカバー。
（項目３７４）
前記内側部分は、第１の材料片を備え、前記外側部分は、該第１の材料片に接着される、第２の材料片を備える、項目３４７に記載のカバー。
（項目３７５）
前記内側部分および前記外側部分がともに、類似材料を備え、該内側部分が、第１の厚さを備え、該外側部分が、該第１の厚さ未満の第２の厚さを備えることによって、該内側部分は、前記角膜上に定置されると、光学正面を保持するように構成され、該外側部分は、前記上皮に適合するように構成される、項目３４７に記載のカバー。
（項目３７６）
前記内側部分が、第１の硬度を備え、前記外側部分が、第２の硬度を備え、該第１の硬度が、該第２の硬度を上回ることによって、該内側部分は、前記角膜上に定置されると、光学正面を保持するように構成され、外側部分は、前記上皮に適合するように構成される、項目３４７に記載のカバー。
（項目３７７）
前記内側部分および前記外側部分がともに、モールドから形成される単一片を備えることによって、前記カバーは、モールドから形成される単一材料片を備える、項目３４７に記載のカバー。
（項目３７８）
前記レンズは、約−１Ｄ乃至約＋１Ｄの範囲内の屈折力を備える、項目３４７に記載のカバー。
（項目３７９）
上皮欠損を有する眼を治療する方法であって、
該眼上に治療用カバーを定置することであって、該治療用カバーは、腫脹を軽減させるために、吸引によって、該角膜に接着される、こと
を備える、方法。
（項目３８０）
前記上皮欠損は、視力を矯正するためのＰＲＫ手術による光学ゾーンの焼灼後の上皮欠損を備え、該光学ゾーン内に、前記角膜は、該ＰＲＫ手術前の基準値から、該ＰＲＫ手術後第１日目の時点の第１の値までの、約２％以下の第１の腫脹を備える、項目３７９に記載の方法。
（項目３８１）
前記第１日目の時点では、前記患者は、前記光学ゾーン上のカバーによって、少なくとも約２０／３０の視力能を有する、項目３８０に記載の方法。
（項目３８２）
前記光学ゾーン内に、前記角膜は、手術前の前記基準値から手術後第２日目の時点における第２の値までの、約５％以下の第２の腫脹を備える、項目３８０に記載の方法。
（項目３８３）
前記第２日目の時点では、前記患者は、前記光学ゾーン上のカバーによって、少なくとも約２０／３０の視力能を有する、項目３８２に記載の方法。
（項目３８４）
前記光学ゾーン内に、前記角膜は、手術前の前記基準値から手術後第３日目の時点の第３の値までの、約５％以下の第３の腫脹を備える、項目３８２に記載の方法。
（項目３８５）
前記第３日目の時点では、前記患者は、前記光学ゾーン上のカバーによって、少なくとも約２０／３０の視力能を有する、項目３８４に記載の方法。
（項目３８６）
前記カバーは、少なくとも約１週間、前記角膜上に定置され、該カバーが、高酸素透過率を備えることによって、該角膜は、前記第１日目後、約５％以下の腫脹を備える、項目３８０に記載の方法。
（項目３８７）
前記カバーが、前記光学ゾーン上に再生する上皮を上回る剛性を有するレンズを伴う、内側部分を備えることによって、前記患者は、少なくとも約２０／３０の視力能を有する、項目３８６に記載の方法。
（項目３８８）
前記光学ゾーン上に再生する上皮は、凹凸を備え、前記レンズが、前記角膜に接着されると、該凹凸上に光学形状を保持することによって、前記患者は、少なくとも約２０／３０の視力能を有する、項目３８７に記載の方法。
（項目３８９）
前記光学ゾーン上に再生する上皮は、凹凸を備え、前記レンズが、前記角膜に接着されると、該凹凸上に光学形状を保持することによって、前記患者は、少なくとも約２０／３０の視力能を有する、項目３８７に記載の方法。
（項目３９０）
前記カバーは、疎水性層と、少なくとも約３５０の酸素透過率Ｄｋとを備える、項目３７９に記載の方法。
（項目３９１）
前記カバーは、焼灼の境界に適合し、前記角膜をシールする、項目３７９に記載の方法。
（項目３９２）
前記カバーは、前記上皮欠損の境界に適合し、前記角膜をシールする、項目３７９に記載の方法。
（項目３９３）
前記カバーは、内側部分と、外側部分とを備え、該外側部分は、前記角膜に適合し、該角膜をシールし、該内側部分は、レンズを備え、該レンズは、ある形状を備え、該外側部分が、該内側部分より剛性であることによって、該レンズの形状は、前記上皮が再生すると、実質的に保持され、前記欠損を閉鎖し、該角膜がシールされる、項目３７９に記載の方法。
（項目３９４）
前記上皮欠損は、ある面積の角膜組織を備え、該上皮欠損が治癒すると、該面積の角膜組織上の上皮層によって、前記カバーを除去することをさらに備える、項目３９３に記載の方法。
（項目３９５）
前記カバーが除去されると、該カバーが、前記上皮層から分離されることによって、該上皮層は、前記領域上に残留する、項目３９４に記載の方法。
（項目３９６）
コンタクトレンズが、前記カバー上に定置され、該カバーを前記角膜に接着させる、項目３７９に記載の方法。
（項目３９７）
前記コンタクトレンズは、前記カバーが、前記角膜に接着されると、該カバーから除去される、項目３９６に記載の方法。
（項目３９８）
前記コンタクトレンズは、該コンタクトレンズが、前記カバー上に位置付けられた後、約１時間以内に該カバーから除去される、項目３９７に記載の方法。
（項目３９９）
視力が改善し、創傷治癒が増進される、項目３９７に記載の方法。
（項目４００）
上皮の移動速度が増加し、炎症性メディエータを備える涙液膜が、前記露出間質表面および／またはボーマン膜から抑制される、項目３９７に記載の方法。
（項目４０１）
眼の角膜の上皮欠損を治療するための治療用カバーであって、該角膜は、間質および／またはボーマン膜を備え、該カバーは、
該眼の間質および／またはボーマン膜上に位置付け可能であって、該角膜の腫脹を抑制する、水不透過性材料の層
を備える、カバー。
（項目４０２）
前記層は、前記眼上に位置付けられると、複数日間、前記角膜の腫脹を抑制するように構成される、項目４０１に記載の治療用カバー。
（項目４０３）
前記層は、前記複数日間、前記角膜の腫脹を最小にするように構成される、項目４０２に記載の治療用カバー。
（項目４０４）
前記層は、前記角膜の凹凸に適合し、前記腫脹を抑制するように構成される、項目４０１に記載の治療用カバー。
（項目４０５）
疎水性材料は、前記層の下面に沿って配置され、前記角膜に接着し、親水性材料は、上面に沿って配置され、前記眼の涙液に接触する、項目４０１に記載の治療用カバー。
（項目４０６）
前記層は、前記眼上に位置付けられると、複数日間、前記眼が、該層を通して視認するように構成される、項目４０１に記載の治療用カバー。
（項目４０７）
前記層は、複数日間、前記間質および／またはボーマン膜に接着するように構成される、項目４０１に記載の治療用カバー。
（項目４０８）
前記治療用カバーが、前記上皮から分離するように構成されることによって、該上皮は、前記ボーマン膜および／または間質上に残留する、項目４０７に記載の治療用カバー。
（項目４０９）
前記層は、除去剤によって、前記上皮から分離するように構成される、項目４０８に記載の治療用カバー。
（項目４１０）
前記層は、前記眼に視機能を提供するように構成される、項目４０１に記載の治療用カバー。
（項目４１１）
前記層は、前記角膜の光学特性を向上させるように構成される、項目４０１に記載の治療用カバー。
（項目４１２）
眼の角膜の上皮欠損を治療するための治療用カバーであって、該角膜は、間質および／またはボーマン膜を備え、該カバーは、
該間質および／またはボーマン膜への水流を抑制するために、該眼の間質および／またはボーマン膜上に位置付け可能である、少なくとも１層の治療用材料
を備える、カバー。
（項目４１３）
上皮および涙液は、前記間質および／またはボーマン膜上に配置され、前記少なくとも１つの層は、前記眼の涙液から該間質および／またはボーマン膜への水流を抑制するように構成される、項目４１２に記載の治療用カバー。
（項目４１４）
前記少なくとも１つの層は、前記上皮欠損を伴わずに、角膜の厚さの約５％の範囲内に、該角膜の腫脹を軽減させるように構成される、項目４１２に記載の治療用カバー。
（項目４１５）
前記少なくとも１つの層は、前記上皮欠損を伴わずに、角膜の厚さの約２．５％の範囲内に、該角膜の腫脹を軽減させるように構成される、項目４１４に記載の治療用カバー。
（項目４１６）
前記少なくとも１つ層は、固体、接着剤、ゲル、低接着性ゲル、または液体のうちの少なくとも１つを備える、項目４１２に記載の治療用カバー。
（項目４１７）
前記少なくとも１つの層は、前記間質および／またはボーマン膜に接着するように構成される、下面を備える、項目４１２に記載の治療用カバー。
（項目４１８）
前記下面は、疎水性材料を備え、前記角膜に接着する、項目４１７に記載の治療用カバー。
（項目４１９）
前記下面は、前記疎水性材料によって、前記上皮に接着するように構成される、項目４１７に記載の治療用カバー。
（項目４２０）
前記少なくとも１つの層は、前記眼の涙液に接触するように構成される、親水性上面を備える、項目４１７に記載の治療用カバー。
（項目４２１）
前記少なくとも１つの層上に配置され、前記眼の視力を矯正する、前屈折面をさらに備える、項目４１２に記載の治療用カバー。
（項目４２２）
前記治療用材料は、前記上皮が再生すると、該上皮から前記下面を分離するように構成される、生体適応性材料を備える、項目４１７に記載の治療用カバー。
（項目４２３）
前記少なくとも１つの層は、レンズを備える、項目４１２に記載の治療用カバー。
（項目４２４）
前記レンズは、上面を備え、該上面は、湾曲し、前記涙液に接触するように構成され、該上面は、約＋／−１ジオプトリーの範囲内で、前記間質および／またはボーマン膜の焼灼断面の湾曲に対応する湾曲を備える、項目４２３に記載の治療用カバー。
（項目４２５）
前記少なくとも１つの層は、前記間質および／またはボーマン膜に接触するように構成される下面を備え、該下面から前記上面までの前記少なくとも１つの層の厚さは、約＋／−１０ミクロンの範囲内で均一であることによって、前記焼灼断面の湾曲に対応する、項目４２４に記載の治療用カバー。
（項目４２６）
前記治療用材料は、光を透過させるように構成される、光学的に透明な材料を備える、項目４１２に記載の治療用カバー。
（項目４２７）
眼の角膜の上皮欠損を治療するための治療用カバーであって、該角膜は、間質および／またはボーマン膜を備え、該カバーは、
該眼の間質および／またはボーマン膜に接触して、該角膜からの光散乱を減少させるように構成される、治療用材料の層
を備える、カバーシステム。
（項目４２８）
前記層上に定置するように構成される治療用レンズをさらに備え、該治療用レンズは、患者の視力を矯正する前面と、前記上皮に嵌合する後面とを備える、項目４２４に記載の治療用カバーシステム。
（項目４２９）
前記後面は、前記レンズが前記上皮に嵌合する角膜の曲率半径に対応する曲率半径を備えることによって、該レンズが該上皮に嵌合する、項目４２８に記載の治療用カバーシステム。
（項目４３０）
患者の眼の角膜のための治療用カバーであって、
該眼上に位置付けるように構成されるレンズを備える、第１の部分と、
上皮の凹凸に適合し、該第１の部分を角膜に接着させ、動作を抑制するように構成される、少なくとも第２の部分と
を備える、カバー。
（項目４３１）
前記少なくとも第２の部分は、下部疎水性表面とともに構成され、前記眼瞼の瞬きを抑止するために十分な機械的抵抗によって、前記第１のレンズ部分を前記角膜に接着させる、項目４３０に記載の治療用カバー。
（項目４３２）
欠損を伴う上皮を有する患者の角膜を治療する治療用デバイスであって、
角膜の形状に適合し、該角膜の腫脹を軽減するように適応される少なくとも１つの領域を含む、カバー
を備える、デバイス。
（項目４３３）
前記カバーは、該カバーが、前記上皮欠損にわたって、前記角膜上に定置されると、該角膜の腫脹の水分排出または最小化のうちの少なくとも１つを行なうように構成される、項目４３２に記載のデバイス。
（項目４３４）
前記カバーは、約２００ミクロン以下の厚さと、少なくとも約５ｍｍの幅と、を備え、前記角膜に適合する、項目４３２に記載のデバイス。
（項目４３５）
前記カバーは、該カバーの少なくとも内側部分に沿って延在し、該カバーを通る水流を抑制する、疎水性層または上部疎水性表面のうちの少なくとも１つを備える、項目４３２に記載のデバイス。
（項目４３６）
前記疎水性層または前記上部疎水性表面のうちの少なくとも１つは、シリコーン、エラストマー、シリコーンエラストマー、シリコーンヒドロゲル、またはポリウレタンのうちの少なくとも１つを備える、項目４３５に記載のデバイス。
（項目４３７）
前記カバーは、該カバーの少なくとも内側部分に沿って延在し、前記角膜に沿った該カバーの摺動を抑制する、下部親水性層または親水性表面のうちの少なくとも１つを備える、項目４３２に記載のデバイス。
（項目４３８）
前記下部親水性層または前記下部親水性表面のうちの少なくとも１つは、ヒドロゲル、２−ヒドロキシエチルメタクリレート（ＨＥＭＡ）、メタクリル酸（ＭＡ）、メチルメタクリレート（ＭＭＡ）、Ｎ，Ｎ−ジメチルアクリルアミド（ＤＭＡ）；Ｎ−ビニルピロリドン（ＮＶＰ）、ホスホリルコリン（ＰＣ）、ポリビニルアルコール（ＰＶＡ）、またはポリビニルピロリドン（ＰＶＰ）、トリス−（トリメチルシロキシシリル）プロピルビニルカルバメート（ＴＰＶＣ）；Ｎ−カルボキシビニルエステル（ＮＣＶＥ）；シリコーンヒドロゲル、ポリ［ジメチルシロキシル］ジ［シリルブタノール］ビス［ビニルカルバメート］（ＰＢＶＣ）；シリケート、プラズマ処理されたシリコーンヒドロゲル、ガラス質の島状体を生成するプラズマコーティング、高屈折率を伴う２５ｎｍプラズマコーティング、フィブリン、またはＢｉｏｇｌｕｅのうちの少なくとも１つを備える、項目４３７に記載のデバイス。
（項目４３９）
前記カバーは、少なくとも約８０のＤｋを備える、項目４３２に記載のデバイス。
（項目４４０）
前記カバーは、約２５乃至約１００ミクロンの範囲内の厚さと、少なくとも約８０のＤｋとを備える、項目４３２に記載のデバイス。
（項目４４１）
前記Ｄｋは、酸素透過率パラメータを備え、該Ｄｋは、少なくとも約３５０以上を備え、前記カバーが装着されると、複数日間、腫脹を抑制する、項目４４０に記載のデバイス。
（項目４４２）
前記カバーは、該カバーの少なくとも内側部分に沿って延在する、上部光学表面を備える、項目４３２に記載のデバイス。
（項目４４３）
前記カバーは、前記角膜の焼灼された表面輪郭に適合するように適応される、内側部分を備える、項目４３２に記載のデバイス。
（項目４４４）
前記内側部分は、前記角膜内に焼灼された収差に適合するように適応され、前記眼の収差を矯正する、項目４４３に記載のデバイス。
（項目４４５）
前記カバーが、下面から上面へと延在する実質的に均一厚を有する少なくとも内側部分を備えることによって、該カバーは、該カバーの少なくとも内側部分に約−５Ｄ乃至約＋５Ｄ範囲内の屈折力を有する、項目４３２に記載のデバイス。
（項目４４６）
前記範囲は、約−１Ｄ乃至約＋１Ｄである、項目４４５に記載のデバイス。
（項目４４７）
前記カバーは、該カバーの少なくとも外側部分に沿って延在する下部湾曲表面を備え、該下部湾曲表面は、前記上皮欠損から離れて前記角膜に嵌合するように成形される、項目４３２に記載のデバイス。
（項目４４８）
前記外側部分は、前記角膜の非焼灼部分とシールを形成するように適応される、項目４４７に記載のデバイス。
（項目４４９）
前記外側部分は、カバー曲率半径を備え、前記カバーの周縁部分が、前記上皮欠損から離れて、角膜の周縁部分に対して定置されると、伸縮するように構成され、該カバー半径は、該角膜の曲率半径未満である、項目４４８に記載のデバイス。
（項目４５０）
前記内側部分が、ソフト材料と、約２００ミクロン以下の厚さとを備えることによって、該内側部分は、前記外側部分が、前記角膜の非焼灼部分とシールを形成すると、該角膜の焼灼された表面輪郭に適合する、項目４４３に記載のデバイス。
（項目４５１）
前記カバーは、下部平面表面と、該下部平面表面と反対側の上部光学表面とを備え、該カバーは、前記角膜の湾曲表面に適合するように適応される、項目４３２に記載のデバイス。
（項目４５２）
前記カバーは、内側部分と、外側部分とを備え、該内側部分は、上皮欠損下の露出間質組織に接触するように寸法設定される、下部親水性表面を備え、該外側部分は、前記上皮に接触するように寸法設定される、疎水性下面を備える、項目４３２に記載のデバイス。
（項目４５３）
前記内側部分は、前記露出間質組織の表面断面に適合し、前記露出表面に沿った摺動を抑制するように適応され、前記外側部分は、前記外側部分が前記上皮に接触すると、シールを形成するように適応される、項目４５２に記載のデバイス。
（項目４５４）
前記上皮欠損が治癒すると、前記カバーを上皮欠損に対して保持するように構成される、コンタクトレンズをさらに備え、前記カバーは、前記コンタクトレンズが、前記カバーを前記上皮欠損に対して保持すると、前記角膜の湾曲表面輪郭に適合するように適応される、項目４３２に記載のデバイス。
（項目４５５）
患者の眼の角膜を治療する方法であって、
カバーを該角膜上に定置することであって、該カバーは、該角膜に接着され、該角膜の腫脹を軽減させる、こと
を備える、方法。
（項目４５６）
前記眼瞼に対して検鏡を定置し、前記眼を露出させることによって、前記角膜を乾燥させることをさらに備え、該検鏡が該眼瞼に対して定置されると、前記カバーは、該角膜上に定置される、項目４５５に記載の方法。
（項目４５７）
レーザビームによって、前記角膜の露出間質組織を焼灼し、前記眼の視力を矯正することをさらに備える、項目４５６に記載の方法。
（項目４５８）
前記カバーの少なくとも一部は、前記乾燥した角膜の露出間質組織に対して定置され、該カバーが該露出間質組織に対して定置されると、該露出間質組織に対して定置される該カバーの一部は、生理学的水和未満に対応する水和量を備える、項目４５７に記載の方法。
（項目４５９）
前記カバーは、前記角膜と該カバーの少なくとも一部との間にシールを形成し、該角膜内への水流を減少させる、項目４５５に記載の方法。
（項目４６０）
前記カバーは、外側周縁を備え、前記上皮は、該外側周縁の少なくとも一部上に成長する、項目４５５に記載の方法。
（項目４６１）
前記カバーが、前記上皮上に定置されることによって、該上皮が、前記外側周縁上に成長すると、該上皮は、該外側周縁下に配置される、項目４６０に記載の方法。
（項目４６２）
前記カバーは、前記角膜の上皮欠損上に定置され、
該上皮欠損が治癒されると、該カバーを除去すること
を備える、項目４５５に記載の方法。
（項目４６３）
前記上皮は、前記角膜上に残留し、該カバーが除去されると、該カバーから分離する、項目４６２に記載の方法。
（項目４６４）
前記カバーが除去されると、前記眼に水を提供し、前記上皮から該カバーを弛緩させることをさらに備える、項目４６３に記載の方法。
（項目４６５）
前記カバーは、親水性である下面を備え、摺動を抑制する、項目４５５に記載の方法。
（項目４６６）
前記カバーは、実質的に水不透過性の材料を備え、前記シールが形成されると、前記角膜の腫脹の水分排出または最小化のうちの少なくとも１つを行なう、項目４５５に記載の方法。
（項目４６７）
前記角膜は、上皮欠損を備え、前記カバーは、前記シールが形成されると、前記間質に対して吸着し、該間質に接着するように構成される、下面または下部材料のうちの少なくとも１つを備え、該下面または下部材料のうちの少なくとも１つは、該間質に対するほど該上皮に実質的に接着しないように構成される、項目４５５に記載の方法。
（項目４６８）
前記下面または前記下部材料のうちの少なくとも１つは、親水性下面を備え、前記間質に接触し、前記上皮が、前記欠損を被覆すると、該親水性下面は、該上皮に対して、該間質より低い接着性を備える、項目４６７に記載の方法。
（項目４６９）
前記カバーは、実質的に酸素透過率材料を備える、項目４５５に記載の方法。
（項目４７０）
前記角膜は、上皮欠損を備え、前記カバーが該角膜上に定置され、上皮欠損が治癒すると、該カバーを除去することをさらに備える、項目４５５に記載の方法。
（項目４７１）
前記角膜を測定し、前記カバーの特徴を決定することと、
該特徴に応じて、複数のカバーの中から該カバーを選択することによって、該カバーが該角膜上に定置されると、前記シールが形成される、ことと
をさらに備える、項目４５５に記載の方法。
（項目４７２）
前記角膜を測定して、該角膜の湾曲を決定し、前記特徴が、前記カバーの下面の曲率半径を備える、項目４７１に記載の方法。
（項目４７３）
前記カバーは、約−５Ｄ乃至約−５Ｄの範囲内の屈折力を備える、項目４７１に記載の方法。
（項目４７４）
前記範囲は、約−１Ｄ乃至約＋１Ｄであって、前記カバーの厚さを減少させる、項目４７３に記載の方法。
（項目４７５）
上皮と、該上皮の欠損とを備える、角膜を有する、ＰＲＫ後の患者の眼を治療する方法であって、
該眼上にコンタクトレンズを定置し、該上皮の非焼灼領域とシールを形成することによって、該角膜の腫脹が軽減される、ことと、
該上皮の欠損が治癒すると、該コンタクトレンズを除去することと
を備える、方法。
（項目４７６）
前記コンタクトレンズは、表面または材料のうちの少なくとも１つを備え、前記シールが形成されると、該コンタクトレンズを通る水流を抑制し、前記角膜から水分排出させ、該コンタクトレンズは、該シールが形成されると、該コンタクトレンズを焼灼された間質に接着させ、前記上皮が再生すると、該上皮から該コンタクトレンズを解放する、親水性表面を含む、少なくとも内側部分を備え、前記上皮欠損を被覆する、項目４７５に記載の方法。
（項目４７７）
上皮欠損を伴う角膜を有する眼を治療する治療用カバーであって、
レンズを備える、内側部分と、
該眼の角膜の凹凸に適合するように構成され、該レンズを備える内側部分を該上皮欠損上に保持する、外側部分と
を備える、カバー。
（項目４７８）
前記凹凸は、上皮欠損を備える、項目４７７に記載のカバー。
（項目４７９）
前記凹凸は、間質欠損を備える、項目４７７に記載のカバー。
（項目４８０）
水不透過性層は、前記内側部分を横断して延在し、前記外側部分は、吸水によって、該内側部分および該外側部分を前記角膜に接着させる、項目４７７に記載のカバー。
（項目４８１）
前記内側部分は、前記レンズが前記上皮欠損上に定置されると、該レンズの正面の光学平滑性を保持する剛性を備える、項目４７７に記載のカバー。
（項目４８２）
前記内側部分は、第１の剛性を備え、前記レンズが前記上皮欠損上に定置されると、該レンズの正面の光学平滑性を保持し、前記外側部分は、前記角膜に適合し、該上皮欠損をシールする、第２の剛性を備え、該第１の剛性は、該第２の剛性を上回る、項目４７７に記載のカバー。
（項目４８３）
前記内側部分は、前記眼上への定置前の第１の内側構成と、該眼上への定置後の第２の内側構成とを備えるように構成され、該第２の内側構成は、前記第２の構成と実質的に類似し、前記レンズの光学特性を保持する、項目４７７に記載のカバー。
（項目４８４）
前記外側部分が、前記眼上への定置前の第１の外側構成と、該眼上への定置後の第２の外側構成とを備えるように構成され、該第２の外側構成が、該第１の外側構成と異なることによって、前記第２の構成は、前記上皮と適合し、内皮吸引によって、該上皮に対して、該外側部分をシールする、項目４８３に記載のカバー。
（項目４８５）
前記内側部分および前記外側部分はそれぞれ、水を抑制する疎水性層と、上部親水性層と、下部親水性層とを備え、該疎水性層は、該上部親水性層と該下部親水性層との間に配置される、項目４７７に記載のカバー。
（項目４８６）
前記外側部分は、少なくとも約２００の酸素透過率Ｄｋパラメータを備える、項目４７７に記載のカバー。
（項目４８７）
前記外側部分は、少なくとも約３５０の酸素透過率Ｄｋパラメータを備える、項目４８７に記載のカバー。
（項目４８８）
前記外側部分は、少なくとも約４００の酸素透過率Ｄｋパラメータを備える、項目４８８に記載のカバー。
（項目４８９）
前記外側部分は、少なくとも約５００の酸素透過率Ｄｋパラメータを備える、項目４８８に記載のカバー。
（項目４９０）
前記内側部分は、少なくとも約１００の酸素透過率Ｄｋパラメータを備える、項目４７７に記載のカバー。
（項目４９１）
前記外側部分は、少なくとも約２００の酸素透過率Ｄｋパラメータを備える、項目４９０に記載のカバー。
（項目４９２）
前記外側部分は、少なくとも約３５０の酸素透過率Ｄｋパラメータを備える、項目４９１に記載のカバー。
（項目４９３）
前記外側部分は、少なくとも約４００の酸素透過率Ｄｋパラメータを備える、項目４９２に記載のカバー。
（項目４９４）
前記外側部分は、少なくとも約５００の酸素透過率Ｄｋパラメータを備える、項目４９３に記載のカバー。
（項目４９５）
内側部分は、約ショアＡ３０デュロメータ乃至ロックウェルスケールに基づく約９４Ｍの範囲内の硬度パラメータを備える、項目４８５に記載のカバー。
（項目４９６）
外側部分は、約２０乃至約８０の範囲内のショアＡデュロメータ硬度パラメータを備える、項目４８５に記載のカバー。
（項目４９７）
前記内側部分の疎水性層および前記外側部分の疎水性層は、少なくとも約２００Ｄｋを有するシリコーンを備える、項目４８５に記載のカバー。
（項目４９８）
前記内側部分は、約２００μｍ以下の厚さを備える、項目４７７に記載のカバー。
（項目４９９）
前記外側部分は、約１００μｍ以下の周縁厚を備え、厚さの増加に伴って、前記中心部分に向かって延在する、項目４７７に記載のカバー。
（項目５００）
前記外側部分は、下面に沿う曲率半径を備える、項目４７７に記載のカバー。
（項目５０１）
前記外側部分は、前記上皮欠損の外側境界に適合するように構成される、項目５００に記載のカバー。
（項目５０２）
前記カバーの外側部分が、焼灼ゾーンの外側の前記角膜の第１の湾曲に適合し、かつ該焼灼ゾーン内の該角膜の第２の湾曲に適合するように構成されることによって、該角膜は、該焼灼ゾーン上にシールされる、項目５００に記載のカバー。
（項目５０３）
前記内側部分は、第１の材料片を備え、前記外側部分は、該第１の材料片に接着される、第２の材料片を備える、項目４７７に記載のカバー。
（項目５０４）
前記内側部分および前記外側部分が、類似材料を備え、該内側部分が、第１の厚さを備え、該外側部分が、前記第１の厚さ未満の第２の厚さを備えることによって、該内側部分は、前記角膜上に定置されると、光学正面を保持するように構成され、外側部分は、前記角膜の凹凸に適合するように構成される、項目４７７に記載のカバー。
（項目５０５）
前記内側部分が、第１の硬度を備え、前記外側部分が、第２の硬度を備え、該第１の硬度が、該第２の硬度を上回ることによって、該内側部分は、前記角膜の凹凸上に定置されると、光学正面を保持するように構成される、項目４７７に記載のカバー。
（項目５０６）
前記前記角膜の凹凸は、間質の凹凸を備える、項目５０５に記載のカバー。
（項目５０７）
前記前記角膜の凹凸は、上皮の凹凸を備える、項目５０５に記載のカバー。
（項目５０８）
上皮欠損を伴う角膜を有する眼を治療する方法であって、
該眼の角膜上に治療用カバーを定置することであって、該治療用カバーが、該角膜に接着されると、該角膜の腫脹が軽減する、こと
を備える、方法。
（項目５０９）
前記カバーは、吸水によって、前記角膜に接着される、項目５０８に記載の方法。
（項目５１０）
前記内皮は、前記角膜から水を揚水し、該角膜上に前記カバーを吸着させる、項目５０９に記載の方法。
（項目５１１）
前記上皮欠損は、視力を矯正するためのＰＲＫ手術による光学ゾーンの焼灼後の上皮欠損を含み、該光学ゾーン内に、前記角膜は、前記ＰＲＫ手術前の基準値から、該ＰＲＫ手術後第１日目の値まで、約５％以下の第１の腫脹を備える、項目５０８に記載の方法。
（項目５１２）
前記第１日目の時点では、前記患者は、前記光学ゾーン上のカバーによって、少なくとも約２０／３０の視力能を有する、項目５１１に記載の方法。
（項目５１３）
前記第１日目の時点における、前記第１の腫脹が、約２％以下を備えることによって、患者は、前記光学ゾーン上のカバーによって、少なくとも約２０／３０の視力能を有する、項目５１１に記載の方法。
（項目５１４）
前記角膜の腫脹が、最小化されることによって、該角膜は、術前の水和量まで実質的に回復される、項目５１１に記載の方法。
（項目５１５）
前記カバーは、内側部分と、外側部分とを備え、該外側部分は、前記角膜に適合し、該角膜をシールし、該内側部分は、レンズを備え、該レンズは、ある形状を備え、該外側部分が、該内側部分より剛性であることによって、該レンズの形状は、該上皮が再生すると、実質的に保持され、前記欠損を閉鎖し、該角膜がシールされる、項目５０８に記載の方法。
（項目５１６）
前記上皮欠損は、ある面積の角膜組織を備え、該上皮欠損が治癒すると、該面積の角膜組織上の上皮層によって、前記カバーを除去することをさらに備える、項目５１５に記載の方法。
（項目５１７）
前記カバーが除去されると、該カバーが、前記上皮層から分離されることによって、該上皮層は、前記面積上に残留する、項目５１６に記載の方法。
（項目５１８）
コンタクトレンズが、前記カバー上に定置され、該カバーを前記角膜に接着させる、項目５０８に記載の方法。
（項目５１９）
前記コンタクトレンズは、前記カバーが、前記角膜に接着されると、該カバーから除去される、項目５１８に記載の方法。
（項目５２０）
前記コンタクトレンズは、該コンタクトレンズが、前記カバー上に位置付けられた後に、約１時間以内に該カバーから除去される、項目５１９に記載の方法。
（項目５２１）
上皮欠損を伴う角膜を有する眼を治療する方法であって、
該角膜上に治療用カバーを定置することであって、該治療用カバーは、該治療用カバーが該角膜に接着されると、該眼の光学収差を矯正する、こと
を備える、方法。
（項目５２２）
前記光学収差は、前記角膜の凹凸に対応する、項目５２１に記載の方法。
（項目５２３）
前記光学収差は、前記間質の凹凸に対応する、項目５２２に記載の方法。
（項目５２４）
前記光学収差は、前記上皮の凹凸に対応する、項目５２２に記載の方法。
【手続補正３】
【補正対象書類名】図面
【補正対象項目名】全図
【補正方法】変更
【補正の内容】
【図１Ａ】
2011516154.tif 000001
【図１Ｂ】
2011516154.tif 000002
【図１Ｃ】
2011516154.tif 000003
【図１Ｃ１】
2011516154.tif 000004
【図１Ｃ２】
2011516154.tif 000005
【図２Ａ】
2011516154.tif 000006
【図２Ｂ】
2011516154.tif 000007
【図２Ｂ１】
2011516154.tif 000008
【図２Ｃ】
2011516154.tif 000009
【図２Ｄ】
2011516154.tif 000010
【図３Ａ】
2011516154.tif 000011
【図３Ｂ】
2011516154.tif 000012
【図３Ｂ１】
2011516154.tif 000013
【図３Ｃ】
2011516154.tif 000014
【図３Ｄ】
2011516154.tif 000015
【図３Ｅ】
2011516154.tif 000016
【図３Ｆ】
2011516154.tif 000017
【図４Ａ】
2011516154.tif 000018
【図４Ｂ】
2011516154.tif 000019
【図４Ｃ】
2011516154.tif 000020
【図５Ａ】
2011516154.tif 000021
【図５Ｂ】
2011516154.tif 000022
【図５Ｂ１】
2011516154.tif 000023
【図５Ｂ２】
2011516154.tif 000024
【図５Ｂ３】
2011516154.tif 000025
【図５Ｂ４】
2011516154.tif 000026
【図５Ｂ５】
2011516154.tif 000027
【図５Ｃ】
2011516154.tif 000028
【図６Ａ】
2011516154.tif 000029
【図６Ｂ】
2011516154.tif 000030
【図６Ｃ】
2011516154.tif 000031
【図７Ａ】
2011516154.tif 000032
【図７Ｂ】
2011516154.tif 000033
【図８Ａ】
2011516154.tif 000034
【図８Ｂ】
2011516154.tif 000035
【図９Ａ】
2011516154.tif 000036
【図９Ｂ】
2011516154.tif 000037
【図９Ｃ】
2011516154.tif 000038
【図９Ｄ】
2011516154.tif 000039
【図１０Ａ】
2011516154.tif 000040
【図１１Ａ】
2011516154.tif 000041
【図１２Ａ】
2011516154.tif 000042
【図１３Ａ】
2011516154.tif 000043
【図１４】
2011516154.tif 000044
【図１５Ａ】
2011516154.tif 000045
【図１６Ａ】
2011516154.tif 000046
【図１６Ｂ】
2011516154.tif 000047
【図１７Ａ】
2011516154.tif 000048
【図１７Ｂ】
2011516154.tif 000049
【図１７Ｃ】
2011516154.tif 000050
【図１７Ｄ】
2011516154.tif 000051
【図１７Ｅ】
2011516154.tif 000052
【図１７Ｆ】
2011516154.tif 000053
【図１７Ｇ】
2011516154.tif 000054
【図１７Ｈ】
2011516154.tif 000055
【図１７Ｉ】
2011516154.tif 000056
【図１８】
2011516154.tif 000057
【図１９Ａ】
2011516154.tif 000058
【図１９Ｂ１】
2011516154.tif 000059
【図１９Ｂ２】
2011516154.tif 000060
【図１９Ｂ３】
2011516154.tif 000061
【図２０Ａ】
2011516154.tif 000062
【図２０Ｂ】
2011516154.tif 000063
【図２０Ｃ】
2011516154.tif 000064
【図２０Ｄ】
2011516154.tif 000065
【図２０Ｅ】
2011516154.tif 000066
【図２０Ｅ１】
2011516154.tif 000067
【図２０Ｅ２】
2011516154.tif 000068
【図２０Ｆ】
2011516154.tif 000069
【図２０Ｇ】
2011516154.tif 000070
【図２０Ｈ】
2011516154.tif 000071
【図２０Ｈ１】
2011516154.tif 000072
【図２０Ｈ２】
2011516154.tif 000073
【図２１】
2011516154.tif 000074
【図２２Ａ】
2011516154.tif 000075
【図２２Ｂ】
2011516154.tif 000076
【図２２Ｃ】
2011516154.tif 000077
【図２２Ｄ】
2011516154.tif 000078
【図２３Ａ】
2011516154.tif 000079
【図２３Ｂ】
2011516154.tif 000080
【図２４Ａ】
2011516154.tif 000081
【図２４Ｂ】
2011516154.tif 000082
【図２４Ｃ】
2011516154.tif 000083
【図２４Ｄ】
2011516154.tif 000084
【図２５Ａ】
2011516154.tif 000085
【図２５Ｂ】
2011516154.tif 000086
【図２５Ｃ】
2011516154.tif 000087
【図２５Ｄ】
2011516154.tif 000088
【図２６Ａ】
2011516154.tif 000089
【図２６Ｂ】
2011516154.tif 000090
【図２６Ｃ】
2011516154.tif 000091
【図２６Ｄ】
2011516154.tif 000092
【図２７Ａ】
2011516154.tif 000093
【図２８Ａ】
2011516154.tif 000094
【図２８Ａ１】
2011516154.tif 000095
【図２８Ｂ】
2011516154.tif 000096
【図２８Ｂ−１】
2011516154.tif 000097
【図２８Ｂ−２】
2011516154.tif 000098
【図２８Ｂ−３】
2011516154.tif 000099
【図２８Ｂ−４】
2011516154.tif 000100
【図２８Ｃ】
2011516154.tif 000101
【図２８Ｄ】
2011516154.tif 000102
【図２８Ｅ】
2011516154.tif 000103
【図２８Ｆ】
2011516154.tif 000104
【図２８Ｇ】
2011516154.tif 000105
【図２８Ｈ】
2011516154.tif 000106
【図２８Ｉ】
2011516154.tif 000107
【図２８Ｊ】
2011516154.tif 000108
【図２８Ｋ】
2011516154.tif 000109
【図２８Ｌ】
2011516154.tif 000110
【図２８Ｍ】
2011516154.tif 000111
【図２８Ｍ−１】
2011516154.tif 000112
【図２８Ｍ−２】
2011516154.tif 000113
【図２８Ｎ】
2011516154.tif 000114
【図２８Ｏ】
2011516154.tif 000115
【図２８Ｐ】
2011516154.tif 000116
【図２８Ｑ】
2011516154.tif 000117
【図２８Ｒ】
2011516154.tif 000118
【図２９Ａ】
2011516154.tif 000119
【図２９Ａ−１】
2011516154.tif 000120
【図２９Ａ−２】
2011516154.tif 000121
【図２９Ａ−３】
2011516154.tif 000122
【図２９Ａ−４】
2011516154.tif 000123
【図２９Ａ−５】
2011516154.tif 000124
【図２９Ｂ−１】
2011516154.tif 000125
【図２９Ｂ−２】
2011516154.tif 000126
【図２９Ｃ】
2011516154.tif 000127
【図２９Ｃ１】
2011516154.tif 000128
【図２９Ｃ２】
2011516154.tif 000129
【図２９Ｃ３】
2011516154.tif 000130
【図２９Ｃ４】
2011516154.tif 000131
【図２９Ｃ５】
2011516154.tif 000132
【図２９Ｃ６】
2011516154.tif 000133
【図２９Ｃ７】
2011516154.tif 000134
【図２９Ｃ８−１】
2011516154.tif 000135
【図２９Ｃ８−２】
2011516154.tif 000136
【図２９Ｃ８−３】
2011516154.tif 000137
【図２９Ｄ】
2011516154.tif 000138
【図２９Ｅ１】
2011516154.tif 000139
【図２９Ｅ２】
2011516154.tif 000140
【図２９Ｅ３】
2011516154.tif 000141
【図２９Ｅ４】
2011516154.tif 000142
【図２９Ｅ５】
2011516154.tif 000143
【図２９Ｆ１】
2011516154.tif 000144
【図２９Ｆ２】
2011516154.tif 000145
【図２９Ｆ３】
2011516154.tif 000146
【図２９Ｇ】
2011516154.tif 000147
【図２９Ｈ】
2011516154.tif 000148
【図２９Ｈ１】
2011516154.tif 000149
【図２９Ｈ２】
2011516154.tif 000150
【図２９Ｈ３】
2011516154.tif 000151
【図２９Ｉ】
2011516154.tif 000152
【図２９Ｊ１】
2011516154.tif 000153
【図２９Ｊ２】
2011516154.tif 000154
【図２９Ｋ１】
2011516154.tif 000155
【図２９Ｋ２】
2011516154.tif 000156
【図２９Ｌ】
2011516154.tif 000157
【図２９Ｍ１Ａ】
2011516154.tif 000158
【図２９Ｍ１Ｂ】
2011516154.tif 000159
【図２９Ｍ１Ｃ】
2011516154.tif 000160
【図２９Ｍ１Ｄ】
2011516154.tif 000161
【図２９Ｍ１Ｅ】
2011516154.tif 000162
【図２９Ｍ１Ｆ】
2011516154.tif 000163
【図２９Ｍ１Ｇ】
2011516154.tif 000164
【図２９Ｍ１Ｈ】
2011516154.tif 000165
【図２９Ｎ】
2011516154.tif 000166
【図２９Ｎ−１】
2011516154.tif 000167
【図２９Ｎ−２】
2011516154.tif 000168
【図２９Ｎ−３】
2011516154.tif 000169
【図２９Ｏ】
2011516154.tif 000170
【図２９Ｐ】
2011516154.tif 000171
【図２９Ｑ】
2011516154.tif 000172
【図２９Ｒ】
2011516154.tif 000173
【図３０Ａ】
2011516154.tif 000174
【図３０Ｂ】
2011516154.tif 000175
【図３０Ｃ】
2011516154.tif 000176
【図３０Ｄ】
2011516154.tif 000177
【図３１Ａ】
2011516154.tif 000178
【図３１Ｂ】
2011516154.tif 000179
【図３２Ａ】
2011516154.tif 000180
【図３２Ｂ】
2011516154.tif 000181
【図３５】
2011516154.tif 000182
【図３６】
2011516154.tif 000183
【図３７】
2011516154.tif 000184
【図４１Ａ】
2011516154.tif 000185
【図４１Ｂ】
2011516154.tif 000186
【図４１Ｃ】
2011516154.tif 000187
【図３３】
2011516154.tif 000188
【図３４】
2011516154.tif 000189
【図３８Ａ】
2011516154.tif 000190
【図３８Ｂ】
2011516154.tif 000191
【図３８Ｃ】
2011516154.tif 000192
【図３８Ｄ】
2011516154.tif 000193
【図３８Ｅ】
2011516154.tif 000194
【図３９Ａ】
2011516154.tif 000195
【図３９Ｂ】
2011516154.tif 000196
【図３９Ｃ】
2011516154.tif 000197
【図４０】
2011516154.tif 000198
【図４２】
2011516154.tif 000199
【図４２Ａ】
2011516154.tif 000200
【図４３】
2011516154.tif 000201